(57)【要約】【課題】２つの判定に基づく演出を行うことが可能な遊技機を提供する。【解決手段】遊技機は、始動口への遊技球の入賞に応じて特別図柄判定を行い、ゲートへの遊技球の通過に応じて普通図柄判定を行う。特別図柄判定が行われると、特別図柄の変動表示に伴う特図変動演出が行われる。また、普通図柄判定が行われると、普通図柄の変動に応じて普図変動演出が行われる。普図変動演出が行われると、普通図柄判定および特別図柄判定の結果に応じて、普通図柄判定の結果を報知するキャラクタを示す報知画像と、特図変動演出の内容を示唆する示唆画像とが表示される。【選択図】図６
2014144116.tif 000002
【特許請求の範囲】
【請求項１】
第１始動領域と、
遊技球が通過し難い第１状態と通過し易い第２状態とに変化可能な第２始動領域と、
前記第１始動領域または前記第２始動領域への遊技球の通過を条件として、第１図柄表示手段に第１図柄を変動させてから停止させることにより、第１図柄判定の結果を報知する第１図柄制御手段と、
前記第１図柄判定の結果に応じて、遊技者にとって有利な特別遊技を行う特別遊技実行手段と、
第３始動領域への遊技球の通過を条件として、第２図柄表示手段に第２図柄を変動させてから停止させることにより、第２図柄判定の結果を報知する第２図柄制御手段と、
前記第２図柄判定の結果に応じて、前記第２始動領域を前記第２状態に変化させる可変制御手段と、
前記第１図柄の変動に応じた第１図柄演出を行う第１図柄演出制御手段と、
前記第２図柄の変動に応じて所定の演出を行う第２図柄演出制御手段とを備え、
前記第２図柄演出制御手段は、
前記第１図柄判定の結果又は前記第１図柄演出の内容を示唆する示唆演出、および、
前記第２図柄判定の結果を示す報知演出、
を同時に行う、遊技機。
【発明の詳細な説明】
【技術分野】
【０００１】
本発明は、図柄を変動させることに伴って所定の演出を行う遊技機に関する。
【背景技術】
【０００２】
従来より、第１の始動条件の成立に基づいて第１図柄を変動させてから停止させることによって第１図柄判定の結果を報知するとともに、第２の始動条件の成立に基づいて第２図柄を変動させてから停止させることによって第２図柄判定の結果を報知する遊技機が存在する（例えば、特許文献１）。このような従来の遊技機では、第１図柄判定の結果に応じて特別遊技を行い、第２図柄判定の結果に応じて特別遊技とは異なる遊技が行われる。
【先行技術文献】
【特許文献】
【０００３】
【特許文献１】特開２０１３−００５８４９号公報
【発明の概要】
【発明が解決しようとする課題】
【０００４】
しかしながら、第１の始動条件と第２の始動条件とは、独立して成立するものであり、従来の遊技機では、それぞれの判定結果に応じた独立した演出が行われる。このため２つの判定に基づく演出を効率的に行うという点においては改善の余地があった。
【０００５】
それ故、本発明の目的は、２つの判定に基づく演出を行うことが可能な遊技機を提供することである。
【課題を解決するための手段】
【０００６】
本発明は、上記の課題を解決するために以下の構成を採用した。
【０００７】
本発明に係る遊技機は、第１始動領域と、遊技球が通過し難い第１状態と通過し易い第２状態とに変化可能な第２始動領域と、前記第１始動領域または前記第２始動領域への遊技球の通過を条件として、第１図柄表示手段に第１図柄を変動させてから停止させることにより、第１図柄判定の結果を報知する第１図柄制御手段と、前記第１図柄判定の結果に応じて、遊技者にとって有利な特別遊技を行う特別遊技実行手段と、第３始動領域への遊技球の通過を条件として、第２図柄表示手段に第２図柄を変動させてから停止させることにより、第２図柄判定の結果を報知する第２図柄制御手段と、前記第２図柄判定の結果に応じて、前記第２始動領域を前記第２状態に変化させる可変制御手段と、前記第１図柄の変動に応じた第１図柄演出を行う第１図柄演出制御手段と、前記第２図柄の変動に応じて所定の演出を行う第２図柄演出制御手段とを備え、前記第２図柄演出制御手段は、前記第１図柄判定の結果又は前記第１図柄演出の内容を示唆する示唆演出、および、前記第２図柄判定の結果を示す報知演出、を同時に行う。
【発明の効果】
【０００８】
本発明によれば、２つの判定に基づく演出を効率的に行うことができる。
【図面の簡単な説明】
【０００９】
【図１】パチンコ遊技機１の概略正面図
【図２】パチンコ遊技機１の一部を示す概略平面図
【図３】図１における表示器４の拡大図
【図４】パチンコ遊技機１の制御装置の構成例を示すブロック図
【図５】本実施形態に係るパチンコ遊技機１における特別図柄判定および普通図柄判定の結果の種類の一例を示す図
【図６】パチンコ遊技機１の液晶表示器５において行われる普図変動演出の一例を示す図
【図７】特別図柄が変動していない場合における普図変動演出の一例を示す図
【図８】本実施形態の演出の結果で表示される画像の種類を示す図
【図９】２つの画像が表示される場合における表示画像の組み合わせを示す図
【図１０】３つの画像が表示される場合における表示画像の組み合わせを示す図
【図１１】演出が行われた結果３つの画像が同時に表示される場合の画面の一例を示す図
【図１２】遊技制御部１００によって実行されるメイン処理の一例を示すフローチャート
【図１３】図１２のステップＳ２における始動口スイッチ処理の詳細フローチャート
【図１４】図１２のステップＳ３におけるゲートスイッチ処理の詳細フローチャート
【図１５】図１２におけるステップＳ４の特別図柄処理を示す詳細フローチャート
【図１６】図１５のステップＳ４０７の大当たり判定処理の詳細を示すフローチャート
【図１７】図１５のステップＳ４０８の変動パターン設定処理の詳細を示すフローチャート
【図１８】図１５のステップＳ４１６の停止中処理を示す詳細フローチャート
【図１９】図１２のステップＳ５の普通図柄処理を示す詳細フローチャート
【図２０】図１２のステップＳ６の大入賞口処理を示す詳細フローチャート
【図２１】図２０のステップＳ６１２の遊技状態設定処理を示す詳細フローチャート
【図２２】図１２の電動チューリップ処理の詳細フローチャート
【図２３】演出制御部１３０において行われる処理の詳細を示すフローチャート
【図２４】図２３のステップＳ１００１におけるコマンド制御処理の詳細フローチャート
【図２５】図２４のステップＳ１３０４における特図変動演出処理の詳細を示すフローチャート
【図２６】図２４のステップＳ１３０８における普図変動演出処理の詳細を示すフローチャート
【図２７】特図変動演出の実行状況によって示唆画像を表示可能な場合を示す図
【図２８】特図変動演出の実行状況によって示唆画像の表示が禁止される場合を示す図
【図２９】擬似連続予告演出が行われる場合において示唆画像を表示可能な場合を示す図
【図３０】連続演出が行われる場合において示唆画像を表示可能な場合を示す図
【図３１】特図変動演出の実行状況によって普図変動演出を実行可能な場合と実行が禁止される場合の一例を示す図
【図３２】特図変動演出の実行状況によって普図変動演出を実行可能な場合と実行が禁止される場合の他の例を示す図
【発明を実施するための形態】
【００１０】
以下、適宜図面を参照しつつ、本発明の一実施形態に係るパチンコ遊技機１について説明する。
【００１１】
［パチンコ遊技機１の概略構成例］
まず、図１及び図２を参照しつつ、パチンコ遊技機１の概略構成について説明する。ここで、図１は、パチンコ遊技機１の概略正面図である。図２は、パチンコ遊技機１の一部を示す概略平面図である。図１に例示されるように、パチンコ遊技機１は、入賞や判定（抽選）に関する役物等が設けられた遊技盤２と、遊技盤２を囲む枠部材３とを備えている。枠部材３は、遊技盤２と所定の間隔を隔てて平行配置された透明なガラス板を支持しており、このガラス板と遊技盤２とによって、遊技球が流下可能な遊技領域１０が形成されている。
【００１２】
遊技者がハンドル２０を握ってレバー２１を時計方向に回転させると、上皿２８に溜められた遊技球が発射装置（不図示）へと案内され、ハンドル２０の回転角度に応じた打球力で遊技領域１０へと発射される。この遊技領域１０には、不図示の遊技クギや風車等が設けられており、発射された遊技球は、遊技領域１０における上部位置へと案内され、遊技クギや風車等に接触することでその移動方向を変化させながら遊技盤２に沿って落下する。なお、遊技球の発射は、遊技者が停止ボタン２２を操作することによって一時的に停止される。
【００１３】
上皿２８は、発射装置へ供給される遊技球及び賞球を溜めるものである。この上皿２８の下方には、賞球を溜める下皿２９が設けられている。この下皿２９と近接配置された取り出しボタン２３を遊技者が操作すると、下皿２９の下面の一部が開口されて、下皿２９に溜まった遊技球が下皿２９の下方に配置された不図示の箱に落下する。
【００１４】
遊技者がハンドル２０を小さい回転角で回転させた状態を維持するいわゆる「左打ち」を行うと、遊技球が相対的に弱い打球力で打ち出される。この場合、遊技球は、矢印３１に例示されるように遊技領域１０における左側領域を流下する。一方、遊技者がハンドル２０を大きい回転角で回転させた状態を維持するいわゆる「右打ち」を行うと、遊技球が相対的に強い打球力で打ち出される。この場合、遊技球は、矢印３２に例示されるように遊技領域１０における右側領域を流下する。
【００１５】
左打ちされた遊技球の通過経路には、入賞や判定に関する役物として、第１始動口１１、第２始動口１２、２つの普通入賞口１４、第１ゲート１５、及び電動チューリップ１７が設けられている。また、右打ちされた遊技球の通過経路には、入賞や判定に関する役物として、上記第２始動口１２、大入賞口１３、２つの普通入賞口１４、第２ゲート１６、及び上記電動チューリップ１７が設けられている。
【００１６】
遊技領域１０に打ち出された遊技球は、遊技盤２に沿って流下する過程で、第１始動口１１、第２始動口１２、大入賞口１３、及び普通入賞口１４のいずれかに入球して入賞する。これにより、入賞した箇所に応じた所定数の賞球が上皿２８又は下皿２９に払い出される。なお、入賞しなかった遊技球は、排出口１８を介して遊技領域１０から排出される。
【００１７】
第１始動領域としての第１始動口１１は、常時開放されている始動口であり、第２始動領域としての第２始動口１２は、普通電動役物としての電動チューリップ１７が作動しているときだけ開放される始動口である。パチンコ遊技機１では、遊技球が第１始動口１１を通過して入賞した場合、又は遊技球が第２始動口１２を通過して入賞した場合、遊技者にとって有利な大当たり遊技（特別遊技）を実行するか否かが判定され、その判定結果が後述する表示器４に表示される。
【００１８】
なお、以下の説明では、第１始動口１１への遊技球の入賞を条件として実行される判定を「第１特別図柄判定」と呼び、第２始動口１２への遊技球の入賞を条件として実行される判定を「第２特別図柄判定」と呼び、これらの判定（抽選）を総称して「特別図柄判定（特別図柄抽選）」と呼ぶものとする。
【００１９】
大入賞口１３は、特別図柄判定の結果に応じて開放される特別入賞領域である。この大入賞口１３の開口部には、大入賞口１３を開閉するプレートが設けられている。大入賞口１３は、通常はこのプレートによって閉塞されている。これに対して、特別図柄判定の判定結果が「大当たり」であることを示す所定の大当たり図柄が表示器４に停止表示された場合、上記プレートを作動させて大入賞口１３を開放する大当たり遊技が実行される。このため、遊技者は、大当たり遊技中に右打ちを行うことで、大当たり遊技が行われていないときに比べてより多くの賞球を得ることができる。
【００２０】
電動チューリップ１７は、第２始動口１２に近接配置されており、一対の羽根部材を有している。この電動チューリップ１７は、一対の羽根部材が第２始動口１２を閉塞する閉姿勢（図１参照）と、第２始動口１２を開放する開姿勢（不図示）とに姿勢変化可能に構成されている。
【００２１】
第２始動口１２は、図１に例示されるように、通常は電動チューリップ１７によって閉塞されている。これに対して、遊技球が第１ゲート１５又は第２ゲート１６を通過すると、賞球の払い出しは行われないものの、第２始動口１２を開放するか否かが判定される。ここで、第２始動口１２を開放すると判定された場合、電動チューリップ１７の一対の羽根部材が規定時間開姿勢を維持した後に閉姿勢に戻る動作が規定回数行われる。このように、第２始動口１２は、電動チューリップ１７が作動していないときには遊技球が通過し難い状態であるのに対して、電動チューリップ１７が作動することによって遊技球が通過し易い状態となる。なお、以下の説明では、第１ゲート１５又は第２ゲート１６に対する遊技球の通過を条件として実行される判定（抽選）を「普通図柄判定（抽選）」と呼ぶものとする。
【００２２】
普通入賞口１４は、第１始動口１１と同様に常時開放されており、遊技球の入賞によって所定個数の賞球が払い出される入賞口である。なお、第１始動口１１等とは異なり、普通入賞口１４に遊技球が入賞しても判定（抽選）が行われることはない。
【００２３】
［パチンコ遊技機１の演出手段の構成例］
図１に例示されるように、遊技盤２又は枠部材３には、各種の演出を行うものとして、液晶表示器５、可動役物７、スピーカ２４、盤ランプ２５、及び回転演出装置３８，３９が設けられている。また、枠部材３には、図１には示されていない枠ランプ３７（図４参照）が内蔵されている。
【００２４】
液晶表示器５は、演出画像を表示する画像表示装置であり、遊技者によって視認され易い位置に設けられている。液晶表示器５には、例えば、特別図柄判定の判定結果を報知する装飾図柄、予告演出などを行うキャラクタやアイテム、特別図柄判定が保留されている数だけ表示される保留画像等の各種表示オブジェクトを含む演出画像が表示される。なお、画像表示装置は、ＥＬ表示装置等の他の画像表示装置によって構成されてもよい。
【００２５】
可動役物７は、遊技盤２に対して可動に構成されており、例えば、所定の方向に移動したり、内蔵された発光素子（例えばＬＥＤ）を発光させたりすることによって各種の演出を行う。可動役物７は、第１始動口１１又は第２始動口１２への遊技球の入賞に応じて動作する。
【００２６】
盤ランプ２５及び枠ランプ３７は、点灯又は点滅のパターンの変更、発光色の変更等の光による各種の演出を行う。回転演出装置３８，３９は、内蔵された発光素子と発光素子の周辺を回転する回転体とによって各種の演出を行う。スピーカ２４は、液晶表示器５で行われる表示演出と同期するように楽曲や音声、効果音等を出力して音による演出を行う。
【００２７】
［パチンコ遊技機１の操作手段の構成例］
図２に例示されるように、枠部材３には、遊技者が操作する操作手段として、演出ボタン２６及び演出キー２７が設けられている。演出ボタン２６は、遊技者が押下することによって操作情報を入力するための押ボタンである。演出キー２７は、遊技者が選択操作を行うためのいわゆる十字キーである。パチンコ遊技機１では、演出ボタン２６又は演出キー２７の操作に応じた演出が行われる場合がある。
【００２８】
［表示器４の構成例］
図３は、図１における表示器４の拡大図である。表示器４は、主に特別図柄判定や普通図柄判定に関する情報を表示するものであり、図３に例示されるように、第１特別図柄表示器４１、第２特別図柄表示器４２、第１特別図柄保留表示器４３、第２特別図柄保留表示器４４、普通図柄表示器４５、普通図柄保留表示器４６、及び遊技状態表示器４７を有して構成されている。
【００２９】
第１特別図柄表示器４１は、第１特別図柄判定が行われると、図柄を変動表示してから第１特別図柄判定の判定結果を示す判定図柄を停止表示することによって第１特別図柄判定の判定結果を報知する。第２特別図柄表示器４２は、第２特別図柄判定が行われると、図柄を変動表示してから第２特別図柄判定の判定結果を示す判定図柄を停止表示することによって第２特別図柄判定の判定結果を報知する。第１特別図柄表示器４１及び第２特別図柄表示器４２には、判定図柄として、特別図柄判定の判定結果が「大当たり」であることを示す大当たり図柄、又は特別図柄判定の判定結果が「ハズレ」であることを示すハズレ図柄が停止表示される。
【００３０】
第１特別図柄保留表示器４３は、第１特別図柄判定の保留数を表示する。第２特別図柄保留表示器４４は、第２特別図柄判定の保留数を表示する。
【００３１】
普通図柄表示器４５は、普通図柄判定が行われると、図柄を変動表示してから普通図柄判定の判定結果を示す判定図柄を停止表示することによって普通図柄判定の判定結果を報知する。普通図柄表示器４５の点灯パターンによって普通図柄の結果が当たりか否か（短開放当たり、長開放当たり、ハズレの何れか）が報知される。普通図柄保留表示器４６は、普通図柄判定の保留数を表示する。遊技状態表示器４７は、パチンコ遊技機１の電源投入時点における遊技状態を表示する。
【００３２】
なお、以下の説明では、第１特別図柄表示器４１又は第２特別図柄表示器４２に表示される図柄を「特別図柄」と呼び、普通図柄表示器４５に表示される図柄を「普通図柄」と呼ぶものとする。
【００３３】
［パチンコ遊技機１の制御装置の構成］
遊技盤２の裏面側には、賞球として払い出される遊技球を溜めておく球タンクの他に、パチンコ遊技機１の動作を制御する制御装置が設けられている。
【００３４】
以下、図４を参照しつつ、パチンコ遊技機１の制御装置の構成について説明する。ここで、図４は、パチンコ遊技機１の制御装置の構成例を示すブロック図である。図４に示されるように、パチンコ遊技機１の制御装置は、判定（抽選）の実行や大当たり遊技の制御、演出制御部１３０へのコマンド送信処理等を制御する遊技制御部１００、遊技制御部１００から受信したコマンドに基づいて演出を統括的に制御する演出制御部１３０、画像や音による演出を制御する画像音響制御部１４０、および各種のランプや可動役物７による演出を制御するランプ制御部１５０を備えている。また、図４に示す他に、パチンコ遊技機１は、賞球の払い出しを制御する払出制御部（図示せず）も備えている。
【００３５】
［遊技制御部１００の構成］
遊技制御部１００は、ＣＰＵ１０１、ＲＯＭ１０２、およびＲＡＭ１０３を備えている。ＣＰＵ１０１は、ＲＯＭ１０２に記憶されたプログラムに基づいて、内部抽選や当選の判定等の払い出し賞球数に関連する各種の演算処理を行う。ＲＡＭ１０３は、ＣＰＵ１０１が上記プログラムを実行する際に用いる各種データを一時的に記憶する記憶領域またはデータ処理などの作業領域として使用される。
【００３６】
遊技制御部１００には、第１始動口スイッチ（ＳＷ）１１１、第２始動口スイッチ（ＳＷ）１１２、電動チューリップ開閉部１１３、ゲートスイッチ（ＳＷ）１１４、大入賞口スイッチ（ＳＷ）１１５、大入賞口制御部１１６、普通入賞口スイッチ（ＳＷ）１１７、および表示器４が接続されている。
【００３７】
第１始動口スイッチ１１１は、第１始動口１１に遊技球が入賞したことを検知して、その検知信号を遊技制御部１００に出力する。第２始動口スイッチ１１２は、第２始動口１２に遊技球が入賞したことを検知して、その検知信号を遊技制御部１００に出力する。電動チューリップ開閉部１１３は、遊技制御部１００からの制御信号に応じて、電動チューリップ１７の一対の羽根部材に駆動伝達可能に連結された電動ソレノイドを作動させることによって、第２始動口１２を開閉する。ゲートスイッチ１１４は、遊技球がゲート１５又はゲート１６を通過したことを検知して、その検知信号を遊技制御部１００に出力する。大入賞口スイッチ１１５は、遊技球が大入賞口１３に入賞したことを検知して、その検知信号を遊技制御部１００に出力する。大入賞口制御部１１６は、遊技制御部１００からの制御信号に応じて、大入賞口１３を閉塞するプレートに駆動伝達可能に連結された電動ソレノイドを作動させることによって、大入賞口１３を開閉する。普通入賞口スイッチ１１７は、遊技球が普通入賞口１４に入賞したことを検知して、その検知信号を遊技制御部１００に出力する。
【００３８】
遊技制御部１００のＣＰＵ１０１は、第１始動口スイッチ１１１、第２始動口スイッチ１１２、大入賞口スイッチ１１５、または普通入賞口スイッチ１１７からの検知信号が入力されると、遊技球が入賞した場所に応じた所定数の賞球の払い出しを払出制御部に指示し、払出制御部からの情報に基づいて、払い出す賞球の個数を管理する。
【００３９】
ＣＰＵ１０１は、第１始動口スイッチ１１１からの検知信号が入力されたタイミングで乱数を取得し、取得した乱数を用いて第１特別図柄判定を実行する。また、ＣＰＵ１０１は、第２始動口スイッチ１１２からの検知信号が入力されたタイミングで乱数を取得し、取得した乱数を用いて第２特別図柄判定を実行する。そして、特別図柄判定の結果が大当たりになると、大入賞口制御部１１６を介して大入賞口１３の開閉させることによって、特別遊技を実行する。また、ＣＰＵ１０１は、ゲートスイッチ１１４からの検知信号が入力されたタイミングで乱数を取得し、取得した乱数を用いて普通図柄判定を実行する。そして、普通図柄判定の結果が当たりになると、電動チューリップ開閉部１１３を介して電動チューリップ１７を動作させることによって、第２始動口１２を一時的に開放する。
【００４０】
また、ＣＰＵ１０１は、特別図柄の変動開始や変動停止を示す情報を演出制御部１３０に送信する。また、ＣＰＵ１０１は、特別図柄抽選の当選確率の変動設定や、普通図柄抽選の当選確率の変動設定に関する情報を演出制御部１３０に送信する。また、ＣＰＵ１０１は、特別図柄の変動時間の短縮設定を示すデータ、第１始動口１１または第２始動口１２に遊技球が入賞したことを通知するための情報等を演出制御部１３０に送信する。
【００４１】
また、ＣＰＵ１０１は、表示器４に対して、以下のような処理を実行する。すなわち、ＣＰＵ１０１は、第１特別図柄判定を実行すると、第１特別図柄表示器４１に特別図柄を変動表示させた後にその判定結果を示す特別図柄を停止表示させる。また、ＣＰＵ１０１は、第２特別図柄判定を実行すると、第２特別図柄表示器４２に特別図柄を変動表示させた後にその判定結果を示す特別図柄を停止表示させる。また、ＣＰＵ１０１は、普通図柄判定を実行すると、普通図柄表示器４５に普通図柄を変動表示させた後にその判定結果を示す普通図柄を停止表示させる。
【００４２】
また、ＣＰＵ１０１は、第１特別図柄判定の保留数を第１特別図柄保留表示器４３に表示させ、第２特別図柄判定の保留数を第２特別図柄保留表示器４４に表示させ、普通図柄判定の保留数を普通図柄保留表示器４６に表示させる。また、ＣＰＵ１０１は、パチンコ遊技機１の遊技状態を遊技状態表示器４７に表示させる。
【００４３】
［演出制御部１３０の構成］
演出制御部１３０は、ＣＰＵ１３１、ＲＯＭ１３２、ＲＡＭ１３３、およびＲＴＣ（リアルタイムクロック）１３４を備えている。ＣＰＵ１３１は、ＲＯＭ１３２に記憶されたプログラムに基づいて、演出を制御する際の演算処理を行う。ＲＡＭ１３３は、ＣＰＵ１３１が上記プログラムを実行する際に用いる各種データを一時的に記憶する記憶領域またはデータ処理などの作業領域として使用される。ＲＴＣ１３４は、現時点の日時を計測する。
【００４４】
演出制御部１３０は、遊技制御部１００から送られる特別図柄判定の結果等を示すデータに基づいて、演出内容を設定する。その際、演出ボタン２６または演出キー２７からの操作情報の入力を受け付けて、その操作情報に応じた演出内容を設定する場合もある。演出制御部１３０は、設定した演出内容の演出の実行を指示するコマンドを画像音響制御部１４０およびランプ制御部１５０に送信する。
【００４５】
［画像音響制御部１４０の構成］
画像音響制御部１４０は、ＣＰＵ１４１、ＲＯＭ１４２、およびＲＡＭ１４３を備えている。ＣＰＵ１４１は、ＲＯＭ１４２に記憶されたプログラムに基づいて、演出内容を表現する画像を制御する際の演算処理を行う。図には示されていないが、画像音響制御部１４０は、液晶表示器５に表示される演出画像を生成するＶＤＰ（Video Display Processor）、およびスピーカ２４から出力される音響データを生成する音響ＤＳＰ（Digital Signal Processor）を備えている。ＣＰＵ１４１は、演出制御部１３０からのコマンドおよびＲＯＭ１４２に記憶されているプログラムに基づいて制御信号を生成してＶＤＰおよび音響ＤＳＰに出力することによって、ＶＤＰおよび音響ＤＳＰの動作を制御する。
【００４６】
音響ＤＳＰには、楽曲や音声、効果音等に関する各種音響データを記憶する音響用ＲＯＭと、音響ＤＳＰによるデータ処理等の作業領域として使用されるＳＤＲＡＭが接続されている。音響ＤＳＰは、ＣＰＵ１４１からの制御信号に対応する音響データを音響用ＲＯＭからＳＤＲＡＭに読み出してデータ処理を実行し、データ処理後の音響データをスピーカ２４へ出力する。
【００４７】
ＶＤＰは、演出画像の生成に必要な素材データを記憶する画像用ＲＯＭ、演出画像の描画処理を実行する描画エンジン、および描画エンジンによって描画された演出画像を液晶表示器５に出力する出力回路を有している。描画エンジンは、ＣＰＵ１４１からの制御信号に基づいて、画像用ＲＯＭに記憶されている素材データを用いて、フレームバッファに演出画像を描画する。出力回路は、このフレームバッファに描画された演出画像を所定のタイミングで液晶表示器５に出力する。
【００４８】
［ランプ制御部１５０の構成］
ランプ制御部１５０は、ＣＰＵ１５１、ＲＯＭ１５２、およびＲＡＭ１５３を備えている。ＣＰＵ１５１は、ＲＯＭ１５２に記憶されたプログラムに基づいて、盤ランプ２５や枠ランプ３７、および可動役物７の動作を制御する際の演算処理を行う。ＲＡＭ１５３は、ＣＰＵ１５１が上記プログラムを実行する際に用いる各種データを一時的に記憶する記憶領域またはデータ処理などの作業領域として使用される。
【００４９】
ＲＯＭ１５２には、発光パターンデータおよび動作パターンデータが記憶されている。ここで、発光パターンデータは、枠ランプ３７、盤ランプ２５、および可動役物７が備える発光素子のそれぞれの発光パターンを示すデータである。動作パターンデータは、可動役物７の動作パターンを示すデータである。
【００５０】
ＣＰＵ１５１は、ＲＯＭ１５２に記憶された発光パターンデータの中から、演出制御部１３０から受信したコマンドに対応する発光パターンデータをＲＡＭ１５３に読み出して、盤ランプ２５、枠ランプ３７、および可動役物７の発光素子の発光を制御する。また、ＣＰＵ１５１は、ＲＯＭ１５２に記憶された動作パターンデータの中から、演出制御部１３０から受信したコマンドに対応する動作パターンデータをＲＡＭ１５３に読み出して、可動役物７を動作させるためのモータの駆動を制御する。
【００５１】
[本実施形態の遊技機の演出概要]
次に、本実施形態のパチンコ遊技機１における演出の概要について説明する。まず、本実施形態に係るパチンコ遊技機１において用意される、特別図柄判定および普通図柄判定の結果の種類について説明する。図５は、本実施形態に係るパチンコ遊技機１における特別図柄判定および普通図柄判定の結果の種類の一例を示す図である。
【００５２】
図５に示すように、本実施形態のパチンコ遊技機１の特別図柄判定の結果には、第１大当たり、第２大当たり、第３大当たり、およびハズレ等が用意されている。特別図柄判定において第１大当たりとなった場合には、大入賞口１３を１６回開放する動作（１６ラウンド（以下、「Ｒ」と表記する））が行われた後、確変遊技状態に移行する。確変遊技状態に移行すると、特別図柄判定において大当たりとなる確率が通常（例えば、１／３００）よりも高い状態（例えば、１／３０）となり、かつ、電動チューリップ１７が作動し易くなって第２始動口１２に遊技球が入賞し易い状態（時短有り遊技状態）になる。また、第２大当たりとなった場合には、１０Ｒ大当たり遊技の後に確変遊技状態に移行する。また、第３大当たりとなった場合には、１０Ｒ大当たり遊技の後に時短有り遊技状態（低確率遊技状態）となる。
【００５３】
上記大当たりの種類は、後述する図柄乱数を用いた抽選によって決定される。本実施形態のパチンコ遊技機１では、第１始動口１１への入賞に係る特別図柄判定が行われる場合よりも、第２始動口１２への入賞に係る特別図柄判定が行われる場合のほうが、遊技者にとって有利に構成される。例えば、第２始動口１２に遊技球が入賞した場合は第１大当たり（１６Ｒ確変）の割合が高く、第１始動口１１に入賞した場合は、第２大当たり（１０Ｒ確変）の割合が高い。このため、第２始動口１２に入賞した方が、遊技者はより多くの賞球を獲得できる可能性が高い。
【００５４】
また、図５に示すように、本実施形態のパチンコ遊技機１の普通図柄判定の結果には、短開放当たり、長開放当たり、および、ハズレが用意されている。
【００５５】
普通図柄判定の結果、短開放当たりとなった場合には、普通図柄表示器４５における３つのＬＥＤ（２つの丸印のＬＥＤと、１つの「×」印のＬＥＤ）のうち、１つの丸印のＬＥＤ（例えば左側）が点灯する。普通図柄判定の結果、長開放当たりとなった場合には、普通図柄表示器４５における３つのＬＥＤのうち、２つの丸印のＬＥＤが点灯する。普通図柄判定の結果、ハズレとなった場合には、普通図柄表示器４５における３つのＬＥＤのうち、「×」印のＬＥＤが点灯する。
【００５６】
普通図柄判定の結果、短開放当たりとなった場合には、電動チューリップ１７が作動して第２始動口１２が比較的短い時間（例えば、０．１秒×１回）開放される。一方、普通図柄判定の結果、長開放当たりとなった場合には、電動チューリップ１７が作動して第２始動口１２が比較的長い時間（例えば、５．６秒×１回）開放される。第２始動口１２が比較的長い時間開放されるため、遊技球は第２始動口１２に入賞し易くなる。
【００５７】
次に、上記特別図柄判定および普通図柄判定の結果に基づく演出（普図変動演出）について説明する。図６は、パチンコ遊技機１の液晶表示器５において行われる普図変動演出の一例を示す図である。
【００５８】
図６に示すように、液晶表示器５には、装飾図柄５１が表示される。装飾図柄５１は、第１特別図柄表示器４１又は第２特別図柄表示器４２において特別図柄が変動することに応じて変動し、特別図柄が停止することに応じて停止する。特別図柄の変動に応じて行われる特図変動演出の１つとして、装飾図柄５１を変動させる演出が行われる。一方、普通図柄の変動に応じて、普図変動演出が行われる。
【００５９】
図６（Ａ）に示すように、普通図柄の変動に応じた普図変動演出として、大砲を模した画像５２が出現する演出が行われることがある。例えば、装飾図柄５１の変動中に、大砲を模した画像５２が出現する場合がある。大砲の画像５２が出現すると、大砲から弾５３が標的５４に向かって発射される演出が行われる。弾５３が標的５４に到達すると、弾５３が爆発し（図６（Ｂ））、その後、結果が表示される。
【００６０】
例えば、図６（Ｃ）に示すように、キャラクタを示す報知画像５５と、「激アツ」と書かれた画像である示唆画像５６とが表示される場合がある。報知画像５５は、普通図柄判定の結果を報知するための画像であり、キャラクタの画像が表示された場合は、普通図柄判定において長開放当たりと判定されたことを示す。
【００６１】
示唆画像５６は、現在の特別図柄の変動において行われる特図変動演出（特別図柄の変動に応じた変動演出）の内容を示唆する画像であり、「激アツ」と書かれた画像が表示されると、特別図柄判定の結果が大当たりである可能性が高いことを示す。特別図柄判定に基づく特図変動演出を示唆する示唆画像５６には、複数の種類がある。これら複数の種類の画像については後に詳述する。
【００６２】
なお、特別図柄が変動していない間も上記大砲の画像５３を用いた普図変動演出が行われる場合がある。
【００６３】
図７は、特別図柄が変動していない場合における普図変動演出の一例を示す図である。図７に示すように、装飾図柄５１は停止しており、前回の特別図柄判定の結果が表示されたままの状態となっている。この場合において、遊技球がゲート１５又は１６を通過すると、普通図柄判定が行われて、普通図柄表示器４５において普通図柄が変動する。普通図柄の変動に応じて、図７に示す演出が行われ、その結果として、図７（Ｃ）に示すように報知画像５５としてキャラクタの画像が表示される場合がある。このキャラクタが表示されることにより、普通図柄判定の結果が長開放当たりであることが報知される。このように、特別図柄が変動していない場合は、演出の結果として１つの画像（キャラクタの画像）が表示される場合がある。
【００６４】
図８は、本実施形態の演出の結果で表示される画像の種類を示す図である。図８に示すように、本実施形態のパチンコ遊技機１には、画像の種類として、上記キャラクタの画像、「チャンス」と書かれた画像、「激アツ」と書かれた画像、「ボタン」と書かれた画像、「擬似連」と書かれた画像、「ゾーン」と書かれた画像、「パチログ」と書かれた画像、および、「×」印の画像の画像データが記憶されている。
【００６５】
キャラクタの画像は、普通図柄判定において長開放当たりとなったことを示す画像であり、普通図柄判定の結果を報知する報知画像５５である。
【００６６】
「チャンス」、「激アツ」、「ボタン」、「擬似連」、「ゾーン」と書かれた各画像は、特別図柄判定の結果が大当たりか否かを示唆する画像であり、特図変動演出の内容を示唆する示唆画像５６である。
【００６７】
例えば、「チャンス」画像は、これから行われる特図変動演出において、リーチ演出が行われることを示唆する画像であり、この画像が表示された場合は、大当たりとなる可能性は低い。また、「激アツ」画像は、現在の特別図柄の変動において大当たりとなる確率が高いことを示す画像である。また、例えば、「ボタン」画像は、これから行われる特図変動演出において、演出ボタン２６を用いた演出が行われることを示唆する画像である。また、例えば、「擬似連」画像は、装飾図柄５１を変動させてから仮停止させて再び変動させる擬似連続予告演出が行われることを示唆する画像である。また、「ゾーン」画像は、複数の特別図柄の変動において行われる連続演出を示唆する画像である。
【００６８】
また、「パチログ」画像は、特別図柄判定および普通図柄判定の結果に基づかない、遊技履歴ポイントを付与することを示す画像である。ここで、遊技履歴ポイントは、遊技者による遊技の進行に応じて付与されるポイントである。例えば、遊技者は、遊技を開始する際に、所定の画面において遊技履歴ポイントを蓄積するための設定を行い、当該設定がされた場合には、以降の遊技の進行に応じて遊技履歴が蓄積される。蓄積された遊技履歴に応じて遊技履歴ポイントが付与される。例えば、大当たりの回数や特別図柄の変動回数、あるいは抽選に応じて遊技履歴ポイントが付与される。そして、遊技者は遊技の終了の際に、所定の画面において遊技終了の操作を行い、当該操作に応じてパチンコ遊技機１は、付与した遊技履歴ポイントに応じたコード（例えば、ＱＲコード（登録商標））を生成する。遊技者は、生成されたコードを用いて、例えば、携帯電話等を用いてインターネット上のサーバにアクセスし、当該サーバ上で遊技履歴ポイントが蓄積される。例えば、遊技者は、蓄積された遊技履歴ポイントにより種々の特典を得ることができる。
【００６９】
また、「×」印画像は、遊技者に有利な結果ではないことを示唆する画像であり、普通図柄判定の結果がハズレまたは短開放当たりであることを報知する画像である。また、「×」印画像は、特別図柄判定の結果がハズレであることを示唆する場合もある。なお、この「×」印画像が表示された場合であっても、低い確率で特別図柄判定の結果が大当たりとなる場合がある。
【００７０】
以上のように図８に示す画像を用いて、図６（Ｃ）に示す演出の結果が表示される。
【００７１】
図９は、２つの画像が表示される場合における表示画像の組み合わせを示す図である。図８に示す画像が２つ表示される場合、図９に示す組み合わせの何れかで表示される。例えば、図９に示すように、２つの画像が画面に表示される場合、画面の左側にキャラクタが表示され、右側に「×」印画像、「チャンス」画像、「激アツ」画像、「ボタン」画像、「擬似連」画像、「ゾーン」画像、「パチログ」画像の何れかが表示される。左右の両方において、キャラクタの画像が表示されることはない。
【００７２】
例えば、左側にキャラクタが表示され、右側に「擬似連」画像が表示されると、普通図柄判定の結果が長開放当たりであり（長開放当たりが確定）、かつ、現在行われている特図変動演出において、擬似連続予告演出が行われることが示唆される（擬似連続予告演出が行われる可能性が高い）。
【００７３】
また、左側に「パチログ」画像が表示される場合、右側には「パチログ」画像及びキャラクタの画像以外の画像が表示される。すなわち、「パチログ」画像が表示される場合は、キャラクタは表示されず、普通図柄判定の結果がハズレ又は短開放当たりであることを示す。左右の両方において、「パチログ」画像が表示されることはない。
【００７４】
また、図８に示す画像のうち、３つの画像が同時に表示される場合がある。図１０は、３つの画像が表示される場合における表示画像の組み合わせを示す図である。
【００７５】
図１０に示すように、３つの画像が同時に表示される場合、左側に普通図柄判定の結果を示すキャラクタの画像、右側に「パチログ」画像が表示され、上側には、特別図柄判定の結果に基づいた「×」印画像、「チャンス」画像、「激アツ」画像、「ボタン」画像、「擬似連」画像、「ゾーン」画像の何れかが表示される。例えば、３つの画像として、キャラクタの画像、「パチログ」画像、および、「激アツ」画像が表示されると、普通図柄判定の結果が長開放当たりであることが報知され、遊技履歴ポイントが付与され、かつ、特別図柄判定の結果が大当たりである可能性が高いことが示唆される。
【００７６】
図１１は、演出が行われた結果３つの画像が同時に表示される場合の画面の一例を示す図である。図１１に示すように、左側には普通図柄判定の結果を報知する報知画像５５としてキャラクタの画像が表示され、上側には、特別図柄判定に基づく示唆画像５６として「チャンス」画像が表示され、右側には、これらの判定に基づかない「パチログ」画像が表示される場合がある。
【００７７】
以上のように、本実施形態のパチンコ遊技機１では、普通図柄の変動に応じた普図変動演出が行われ、その演出の結果として、普通図柄判定の結果を報知する報知画像５５と、特別図柄判定の結果に基づく特図変動演出の内容を示唆する示唆画像５６と、普通図柄判定および特別図柄判定に基づかない画像５７（「パチログ」画像）とのうちの少なくとも２つの画像を表示することが可能である。このように、同時に複数の画像を表示することにより、普通図柄判定の結果を報知するとともに、特別図柄判定の結果（あるいは特図変動演出の内容）を示唆することができる。
【００７８】
［遊技制御部１００によるメイン処理］
次に、図１２を参照しつつ、遊技制御部１００によって実行されるメイン処理について説明する。ここで、図１２は、遊技制御部１００によって実行されるメイン処理の一例を示すフローチャートである。遊技制御部１００は、電源投入時や電源断時等の特殊な場合を除く通常の動作時において、図１２に示されている一連の処理を割り込みにより一定時間（例えば４ミリ秒）毎に繰り返し実行する。なお、図１２以降のフローチャートに基づいて説明する遊技制御部１００の処理は、ＲＯＭ１０２に記憶されているプログラムをＣＰＵ１０１が実行することによって行われる。
【００７９】
まず、遊技制御部１００のＣＰＵ１０１は、大当たり乱数、図柄乱数、リーチ乱数、変動パターン乱数、および普通図柄乱数の各種乱数を更新する乱数更新処理を実行する（ステップＳ１）。ここで、大当たり乱数は、特別図柄判定の結果が大当たりか、ハズレかを決定するための乱数である。図柄乱数は、特別図柄判定の結果が大当たりであった場合に、大当たりの種類（１６Ｒ確変大当たり、１０Ｒ通常大当たり等）を決定するための乱数である。リーチ乱数は、特別図柄判定の結果がハズレの場合に、リーチ有りの演出を行うか或いはリーチ無しの演出を行うかを決定するための乱数である。変動パターン乱数は、特別図柄が変動表示される際の変動パターン（変動時間）を決定するための乱数である。普通図柄乱数は、普通図柄抽選の当選または落選を決定するための乱数である。大当たり乱数、図柄乱数、リーチ乱数、変動パターン乱数、および普通図柄乱数は、予め定めれた範囲で変動し、このステップＳ１の処理が行われる毎に「１」ずつ加算される。なお、ステップＳ１において、上記各乱数が予め設定されている最大値に達した場合は、各乱数はリセットされる。
【００８０】
ステップＳ１に続いて、ＣＰＵ１０１は、始動口スイッチ（ＳＷ）処理を実行する（ステップＳ２）。始動口スイッチ処理では、ＣＰＵ１０１は、第１始動口スイッチ１１１又は第２始動口スイッチ１１２からの検知信号の入力の有無を監視して、ステップＳ１の処理によって適宜更新される各乱数（大当たり乱数、図柄乱数、リーチ乱数、及び変動パターン乱数）について、検知信号が入力された時点の値を取得して、ＲＡＭ１０３に記憶する。この始動口スイッチ処理については、図１３を参照して、後に詳述する。
【００８１】
ステップＳ２に続いて、ＣＰＵ１０１は、ゲートスイッチ（ＳＷ）処理を実行する（ステップＳ３）。ゲートスイッチ処理では、ＣＰＵ１０１は、ゲートスイッチ１１４からの検知信号の入力の有無を監視し、検知信号の入力があった場合、ステップＳ１の処理で更新された普通図柄乱数の値を取得して、ＲＡＭ１０３に記憶する。このゲートスイッチ処理については、図１４を参照して、後に詳述する。
【００８２】
ステップＳ３に続いて、ＣＰＵ１０１は、特別図柄処理を実行する（ステップＳ４）。詳細は後述するが、特別図柄処理では、特別図柄判定の結果が大当たりであったか否か、大当たりであった場合の大当たりの種類（大当たり図柄）が判定される。また、ＣＰＵ１０１は、ステップＳ２の始動口スイッチ処理で取得された乱数を用いて特別図柄判定を実行し、第１特別図柄表示器４１または第２特別図柄表示器４２に特別図柄を変動表示させてから特別図柄判定の結果を示す特別図柄を停止表示させる。特別図柄処理については、図１５を参照して、後に詳述する。
【００８３】
ステップＳ４に続いて、ＣＰＵ１０１は、普通図柄処理を実行する（ステップＳ５）。普通図柄処理では、ＣＰＵ１０１は、ステップＳ３のゲートスイッチ処理で取得された普通図柄乱数を用いて普通図柄判定を実行し、普通図柄表示器４５に普通図柄を変動表示させてから普通図柄判定の結果を示す普通図柄を停止表示させる。普通図柄処理については、図１９を参照して、後に詳述する。
【００８４】
ステップＳ５に続いて、ＣＰＵ１０１は、ステップＳ４の特別図柄処理における特別図柄判定で大当たりとなった場合に、大入賞口制御部１１６を介して大入賞口１３を開閉する大入賞口処理を実行する（ステップＳ６）。大入賞口処理については、図２０を参照して、後に詳述する。
【００８５】
ステップＳ６に続いて、ＣＰＵ１０１は、電動チューリップ処理を実行する（ステップＳ７）。電動チューリップ処理では、ＣＰＵ１０１は、ステップＳ５の普通図柄処理における普通図柄抽選に当選した場合に、電動チューリップ開閉部１１３を介して電動チューリップ１７の一対の羽根部材を作動させる。電動チューリップ処理については、図２２を参照して、後に詳述する。
【００８６】
ステップＳ７に続いて、ＣＰＵ１０１は、遊技球の入賞個数の管理および入賞に応じた賞球の払い出しを制御する賞球処理を実行する（ステップＳ８）。具体的には、ＣＰＵ１０１は、第１始動口１１、第２始動口１２、大入賞口１３、および普通入賞口１４の何れかに遊技球が入賞した場合、入賞した場所に応じた個数の賞球を払い出しする。例えば、ＣＰＵ１０１は、第１始動口１１または第２始動口１２に遊技球が入賞した場合は、３個の賞球を払い出し、大入賞口１３に遊技球が入賞した場合は１０個の賞球を払い出す。
【００８７】
ステップＳ８に続いて、ＣＰＵ１０１は、出力処理を実行する（ステップＳ９）。ステップＳ９の出力処理では、ＣＰＵ１０１は、ステップＳ２の始動口スイッチ処理やステップＳ３のゲートスイッチ処理、ステップＳ４の特別図柄処理、ステップＳ５の普通図柄処理、ステップＳ６の大入賞口処理等でＲＡＭ１０３にセットされた各種コマンドを演出制御部１３０に送信する。
【００８８】
［遊技制御部１００による始動口スイッチ処理］
次に、図１３を参照して、遊技制御部１００において実行される始動口スイッチ処理の詳細について説明する。ここで、図１３は、図１２のステップＳ２における始動口スイッチ処理の詳細フローチャートである。
【００８９】
図１３に示すように、ステップＳ２０１において、遊技制御部１００のＣＰＵ１０１は、第１始動口スイッチ１１１が「ＯＮ」になったか否か（第１始動口１１に遊技球が入賞したか否か）を判定する。ここで、第１始動口スイッチ１１１が「ＯＮ」になったと判定した場合（ステップＳ２０１：ＹＥＳ）、ＲＡＭ１０３に記憶されている第１特別図柄判定の保留数Ｕ１が、予めＲＯＭ１０２に記憶されている第１特別図柄判定の最大保留数Ｕｍａｘ１（例えば、４）未満であるか否かを判定する（ステップＳ２０２）。
【００９０】
ＣＰＵ１０１は、保留数Ｕ１が最大保留数Ｕｍａｘ１未満であると判定した場合（ステップＳ２０２：ＹＥＳ）、保留数Ｕ１の値を「１」加算した値に更新する（ステップＳ２０３）。そして、ＣＰＵ１０１は、ステップＳ１の処理によって更新した各種乱数（乱数データＤ１の大当たり乱数、図柄乱数、リーチ乱数、及び変動パターン乱数）の値を取得して、ＲＡＭ１０３に格納する（ステップＳ２０４）。
【００９１】
ここでは、第１始動口１１に遊技球が入賞したことに応じて取得された各種乱数がＲＡＭ１０３に格納されることにより、ステップＳ２０３で保留数Ｕ１を増加させた保留玉に係る特別図柄判定の権利が、保留されることになる。詳細は後述するが、保留された特別図柄判定の権利は、ステップＳ４の特別図柄処理において消化されて、特別図柄が変動表示されて所定時間経過後に停止表示されることにより、当該特別図柄判定の結果が報知される。
【００９２】
続いて、ＣＰＵ１０１は、ステップＳ２０４でＲＡＭ１０３に格納された各種乱数に基づいて事前判定処理を実行する（ステップＳ２０５）。事前判定処理は、保留された特別図柄判定の権利についての判定処理であり、大当たりか否かや大当たりの種類、変動パターン等を判定して当該判定結果を示す事前判定情報を生成する処理である。その後、ＣＰＵ１０１は、事前判定情報を含む特別図柄の保留コマンドをＲＡＭ１０３にセットする（ステップＳ２０６）。特別図柄の保留コマンドは、特別図柄判定が保留されたことを通知するためのコマンドであって、図１２のステップＳ９における出力処理において演出制御部１３０へと送信される。なお、ステップＳ２０５の事前判定処理では、ステップＳ２０４で取得された各種乱数がそのまま事前判定情報として生成されて、当該事前判定情報が特別図柄の保留コマンドに含められてもよい。
【００９３】
ステップＳ２０１で「ＮＯ」と判定した場合、ステップＳ２０２で「ＮＯ」と判定した場合、又はステップＳ２０６の処理を実行した場合、ＣＰＵ１０１は、ステップＳ２０７の処理を実行する。ステップＳ２０７では、ＣＰＵ１０１は、第２始動口スイッチ１１２が「ＯＮ」になったか否か（第２始動口１２に遊技球が入賞したか否か）を判定する。ここで、第２始動口スイッチ１１２が「ＯＮ」になったと判定した場合（ステップＳ２０７：ＹＥＳ）、ＲＡＭ１０３に記憶されている第２特別図柄判定の保留数Ｕ２が、予めＲＯＭ１０２に記憶されている第２特別図柄判定の最大保留数Ｕｍａｘ２（例えば、４）未満であるか否かを判定する（ステップＳ２０８）。
【００９４】
ＣＰＵ１０１は、保留数Ｕ２が最大保留数Ｕｍａｘ２未満であると判定した場合（ステップＳ２０８：ＹＥＳ）、保留数Ｕ２の値を「１」加算した値に更新する（ステップＳ２０９）。そして、ＣＰＵ１０１は、ステップＳ１の処理で更新した各種乱数（大当たり乱数、図柄乱数、リーチ乱数、及び変動パターン乱数）を取得して、ＲＡＭ１０３に格納する（ステップＳ２１０）。
【００９５】
そして、ＣＰＵ１０１は、ステップＳ２１０の処理によってＲＡＭ１０３に格納された各種乱数を用いて、上記ステップＳ２０５の処理と同様に事前判定処理を実行し（ステップＳ２１１）、事前判定情報を含む特別図柄の保留コマンドをＲＡＭ１０３にセットする（ステップＳ２１２）。
【００９６】
ステップＳ２０７で「ＮＯ」と判定された場合、ステップＳ２０８で「ＮＯ」と判定された場合、又はステップＳ２１２の処理が行われた場合、ＣＰＵ１０１は、始動口スイッチ処理を終了して、ゲートスイッチ処理に処理を進める。
【００９７】
［遊技制御部１００によるゲートスイッチ処理］
図１４は、図１２のステップＳ３におけるゲートスイッチ処理の詳細フローチャートである。図１４に示されるように、ＣＰＵ１０１は、ゲートスイッチ１１４からの検知信号（ゲートスイッチ１１４が「ＯＮ」になったことを示すＯＮ信号）が入力されたか否かに基づいて、ゲートスイッチ１１４が「ＯＮ」になったか否かを判定する（ステップＳ３０１）。
【００９８】
ＣＰＵ１０１は、ゲートスイッチ１１４が「ＯＮ」になったと判定した場合（ステップＳ３０１：ＹＥＳ）、ＲＡＭ１０３に記憶されている普通図柄判定の保留数Ｇが、普通図柄判定の最大保留数Ｇｍａｘ（例えば、４）未満であるか否かを判定する（ステップＳ３０２）。
【００９９】
ＣＰＵ１０１は、保留数Ｇが最大保留数Ｇｍａｘ未満であると判定した場合（ステップＳ３０２：ＹＥＳ）、保留数Ｇを「１」加算した値に更新し（ステップＳ３０３）、この処理によって保留された普通図柄判定に使用される普通図柄乱数を取得して、ＲＡＭ１０３に格納する（ステップＳ３０４）。次に、ＣＰＵ１０１は、ステップＳ３０４において格納された普通図柄乱数に対して事前判定処理を行い、当該事前判定処理の結果を含む普通図柄の保留コマンドをＲＡＭ１０３にセットする（ステップＳ３０５）。当該普通図柄の保留コマンドには、普通図柄判定の結果が短開放当たりか、長開放当たりか、ハズレかを示す情報が含まれる。
【０１００】
［遊技制御部１００による特別図柄処理］
次に、図１５〜図１８を参照しつつ、遊技制御部１００によって実行される特別図柄処理の詳細について説明する。ここで、図１５は、図１２におけるステップＳ４の特別図柄処理を示す詳細フローチャートである。図１６は、図１５のステップＳ４０７の大当たり判定処理の詳細を示すフローチャートである。図１７は、図１５のステップＳ４０８の変動パターン設定処理の詳細を示すフローチャートである。
【０１０１】
図１５に示されるように、遊技制御部１００のＣＰＵ１０１は、例えばＲＡＭ１０３に記憶されている情報に基づいて、特別遊技中（大当たり遊技中）であるか否かを判定する（ステップＳ４０１）。ここで、特別遊技中であると判定された場合（ステップＳ４０１：ＹＥＳ）、ＣＰＵ１０１は、特別図柄処理を終了する。
【０１０２】
ＣＰＵ１０１は、特別遊技中ではないと判定した場合（ステップＳ４０１：ＮＯ）、特別図柄が変動表示中であるか否かを判定する（ステップＳ４０２）。ここで、特別図柄が変動表示中ではないと判定した場合（ステップＳ４０２：ＮＯ）、ＲＡＭ１０３に記憶されている第２特別図柄判定の保留数Ｕ２が「１」以上であるか否かを判定し（ステップＳ４０３）、「１」以上であると判定した場合（ステップＳ４０３：ＹＥＳ）、保留数Ｕ２を「１」減算して保留玉を１だけ消化する（ステップＳ４０４）。
【０１０３】
ＣＰＵ１０１は、保留数Ｕ２が「１」以上ではない（第２特別図柄判定が保留されていない）と判定した場合（ステップＳ４０３：ＮＯ）、ＲＡＭ１０３に記憶されている第１特別図柄判定の保留数Ｕ１が「１」以上であるか否かを判定し（ステップＳ４０５）、「１」以上であると判定した場合（ステップＳ４０５：ＹＥＳ）、保留数Ｕ１を「１」減算して保留玉を１だけ消化する（ステップＳ４０６）。一方、ＣＰＵ１０１は、ステップＳ４０５で保留数Ｕ１が「１」以上でないと判定した場合（ステップＳ４０５：ＮＯ）、客待ちコマンドをＲＡＭ１０３に設定して、図１５に示す特別図柄処理を終了する。
【０１０４】
ＣＰＵ１０１は、ステップＳ４０４またはステップＳ４０６の処理に続いて、大当たり判定処理を実行する（ステップＳ４０７）。以下、図１６を参照して、大当たり判定処理について説明する。
【０１０５】
図１６に示すように、ＣＰＵ１０１は、まず、大当たりか否かの判定を行う（ステップＳ５０１）。具体的には、ＣＰＵ１０１は、図１５のステップＳ４０４の処理に続いて大当たりか否かの判定を行う場合、ステップＳ４０４の処理で保留数Ｕ２を減算させた保留玉に係る大当たり乱数（ステップＳ２の処理でＲＡＭ１０３に格納された大当たり乱数）が、ＲＯＭ１０２に予め記憶されている大当たり乱数の当選値と一致するか否かを判定する。これにより、ＣＰＵ１０１は、第２特別図柄判定の結果が大当たりであるか否かを判定する。なお、遊技状態が高確率遊技状態である場合は、通常よりも大当たりと判定される確率が高い。一方、図１５のステップＳ４０６の処理に続いて大当たりか否かの判定を行う場合、ＣＰＵ１０１は、ステップＳ４０６の処理で保留数Ｕ１を減算させた保留玉に係る大当たり乱数（ステップＳ２の処理でＲＡＭ１０３に格納された大当たり乱数）が、ＲＯＭ１０２に予め記憶されている大当たり乱数の当選値と一致するか否かを判定する。これにより、ＣＰＵ１０１は、第１特別図柄判定の結果が大当たりであるか否かを判定する。
【０１０６】
ここで、特別図柄判定の結果が大当たりである場合（ステップＳ５０１：ＹＥＳ）、ＣＰＵ１０１は、上述した大当たり乱数と一緒にステップＳ２の処理でＲＡＭ１０３に格納された図柄乱数に基づいて、図柄乱数判定処理を行う（ステップＳ５０２）。具体的には、ＣＰＵ１０１は、ステップＳ２の処理でＲＡＭ１０３に格納された図柄乱数がＲＯＭ１０２に予め記憶されている複数種の大当たりのそれぞれに割り当てられた乱数値のいずれと一致するかを判定することにより、大当たりの種類を判定する。そして、ＣＰＵ１０１は、判定した大当たりの種類に応じた大当たり図柄を、設定情報としてＲＡＭ１０３に設定する（ステップＳ５０３）。
【０１０７】
一方、ステップＳ５０１において大当たりでないと判定された場合（ステップＳ５０１：ＮＯ）、ＣＰＵ１０１は、特別図柄判定の結果がハズレであることを表すハズレ図柄を、設定情報としてＲＡＭ１０３に設定する（ステップＳ５０４）。
【０１０８】
ステップＳ５０３の処理、またはステップＳ５０４の処理の後、ＣＰＵ１０１は、大当たり判定処理を終了して、図１５の特別図柄処理に処理を戻す。
【０１０９】
図１５に戻り、ステップＳ４０７の大当たり判定処理に続いて、ＣＰＵ１０１は、変動パターン設定処理を実行する（ステップＳ４０８）。以下、図１７を参照して、変動パターン設定処理について説明する。
【０１１０】
図１７に示すように、ＣＰＵ１０１は、ステップＳ４０７の大当たり判定処理の結果が大当たりであったか否かを判定する（ステップＳ５１０）。ＣＰＵ１０１は、ステップＳ４０７の大当たり判定処理において大当たりと判定した場合（ステップＳ５１０：ＹＥＳ）には、大当たり用の変動パターンテーブルをＲＡＭ１０３にセットする（ステップＳ５１１）。大当たり用の変動パターンテーブルには、変動時間が３０秒、６０秒、９０秒、１２０秒等の変動パターンが記憶されている。
【０１１１】
一方、ステップＳ４０７の大当たり判定処理において大当たりでないと判定した場合（ステップＳ５１０：ＮＯ）、すなわち、ステップＳ４０７の大当たり判定処理においてハズレと判定した場合、ＣＰＵ１０１は、リーチ乱数判定処理を行う（ステップＳ５１２）。リーチ乱数判定処理では、ＣＰＵ１０１は、大当たり判定処理に使用された大当たり乱数と一緒にＲＡＭ１０３に格納されたリーチ乱数が、ＲＯＭ１０２に予め記憶されている値と一致するか否かを判定する。当該判定結果に基づいて、ＣＰＵ１０１は、リーチ演出を行うか否かを決定する（ステップＳ５１３）。そして、ＣＰＵ１０１は、リーチ演出を行うと決定した場合（ステップＳ５１３：ＹＥＳ）にはリーチ用の変動パターンテーブルをセットする（ステップＳ５１４）。リーチ用の変動パターンテーブルには、変動時間が３０秒、６０秒、９０秒、１２０秒等の変動パターンが記憶されている。ＣＰＵ１０１は、リーチ演出を行わないと判定した場合（ステップＳ５１３：ＮＯ）にはハズレ用の変動パターンテーブルをセットする（ステップＳ５１５）。ハズレ用の変動パターンテーブルには、２秒、８秒等の変動パターンが記憶されている。
【０１１２】
ステップＳ５１１、ステップＳ５１４、またはステップＳ５１５の処理の後、ＣＰＵ１０１は、変動パターン乱数判定処理を行う（ステップＳ５１６）。具体的には、ステップＳ５１６において、ＣＰＵ１０１は、セットした変動パターンテーブルを用いて、上述した大当たり乱数（ステップＳ４０７の判定処理で用いられた大当たり乱数）と一緒にステップＳ２の処理でＲＡＭ１０３に格納された変動パターン乱数に基づいて、変動パターンを選択する。
【０１１３】
このようにして、ＣＰＵ１０１は、ステップＳ２で取得された変動パターン乱数と大当たりか否かによってセットした変動パターンテーブルとに基づいて、特別図柄の変動パターンを決定する。決定された変動パターンは、設定情報としてＲＡＭ１０３に設定される（ステップＳ５１７）。この変動パターンに基づいて、特図変動演出の内容が演出制御部１３０によって決定される。ステップＳ５１７の処理の後、ＣＰＵ１０１は、図１７に示す変動パターン設定処理を終了して、図１５の特別図柄処理に処理を戻す。
【０１１４】
図１５に戻り、ステップＳ４０８の処理に続いて、ＣＰＵ１０１は、ステップＳ４０７の処理で設定した図柄の設定情報、ステップＳ４０８の処理で設定した変動パターンの設定情報、パチンコ遊技機１の遊技状態を示す情報等を含む特別図柄の変動開始コマンドを生成してＲＡＭ１０３にセットする（ステップＳ４０９）。この特別図柄の変動開始コマンドは、特別図柄の変動表示に伴う演出の実行を指示するコマンドであって、図１２のステップＳ９の出力処理が実行されることによって演出制御部１３０へ送信される。
【０１１５】
ステップＳ４０９の処理に続いて、ＣＰＵ１０１は、ステップＳ４０９の処理でセットした変動開始コマンドに含まれている設定情報に基づいて、特別図柄の変動表示を開始し（ステップＳ４１０）、変動時間の計測を開始する（ステップＳ４１１）。なお、特別図柄の変動表示は、ステップＳ４０７〜Ｓ４０９の処理がステップＳ４０４の処理に続いて行われた場合には第２特別図柄表示器４２を用いて行われ、ステップＳ４０６の処理に続いて行われた場合には第１特別図柄表示器４１を用いて行われる。
【０１１６】
ＣＰＵ１０１は、ステップＳ４０２の処理で「ＹＥＳ」と判定した場合、またはステップＳ４１１の処理を実行した場合、ステップＳ４１１における変動時間の計測開始から、ステップＳ４０８の処理で設定された変動パターンに対応する変動時間が経過したか否かを判定する（ステップＳ４１２）。
【０１１７】
ＣＰＵ１０１は、変動時間が経過したと判定した場合（ステップＳ４１２：ＹＥＳ）、特別図柄の変動表示が停止されることを通知する特別図柄の変動停止コマンドをＲＡＭ１０３にセットし（ステップＳ４１３）、ステップＳ４１０の処理で開始した特別図柄の変動表示を終了し（ステップＳ４１４）、計測した変動時間をリセットする（ステップＳ４１５）。これにより、第１特別図柄表示器４１または第２特別図柄表示器４２において、ステップＳ４０７の大当たり判定処理の判定結果に応じた図柄（大当たりの種類に応じた大当たり図柄やハズレ図柄）が停止表示され、特別図柄判定の結果が報知される。なお、ステップＳ４１３の処理でセットされた変動停止コマンドは、図１２のステップＳ９の出力処理が実行されることによって演出制御部１３０へ送信される。
【０１１８】
ＣＰＵ１０１は、ステップＳ４１５の処理の後、停止中処理を実行する（ステップＳ４１６）。停止中処理の詳細については後述する。
【０１１９】
ステップＳ４０１で「ＹＥＳ」と判定された場合、ステップＳ４０５で「ＮＯ」と判定された場合、ステップＳ４１２で「ＮＯ」と判定された場合、またはステップＳ４１６の処理が行われた場合、ＣＰＵ１０１は、特別図柄処理を終了して、図１２のステップＳ５の普通図柄処理を実行する。
【０１２０】
［遊技制御部１００による停止中処理］
次に、図１５のステップＳ４１６の停止中処理について説明する。図１８は、図１５のステップＳ４１６の停止中処理を示す詳細フローチャートである。
【０１２１】
図１８に示されるように、ＣＰＵ１０１は、上記ステップＳ４０７の大当たり判定処理の結果に基づいて、特別図柄判定の結果が大当たりか否かを判定する（ステップＳ４８０）。そして、ＣＰＵ１０１は、大当たりと判定した場合（ステップＳ４８０：ＹＥＳ）、ＲＡＭ１０３に記憶されている大当たり遊技フラグを「ＯＮ」に設定する（ステップＳ４８１）。
【０１２２】
ＣＰＵ１０１は、ステップＳ４８１の処理に続いて、ＲＡＭ１０３に記憶されている補助遊技フラグ及び確変遊技フラグを「ＯＦＦ」に設定する（ステップＳ４８２）。ＣＰＵ１０１は、ステップＳ４８２の処理に続いて、オープニングを開始し（ステップＳ４８３）、オープニングコマンドをＲＡＭ１０３にセットする（ステップＳ４８４）。このオープニングコマンドは、大当たり判定処理の結果に応じて開始されるオープニング演出を演出制御部１３０に行わせるためのコマンドであり、当該コマンドは、図１２のステップＳ９の出力処理が実行されることによって演出制御部１３０へ送信される。これにより、大入賞口１３が開放されることを遊技者に報知するためのオープニング演出が行われる。
【０１２３】
一方、ＣＰＵ１０１は、大当たりでない（すなわち、ハズレ）と判定した場合（ステップＳ４８０：ＮＯ）、補助遊技フラグが「ＯＮ」に設定されているか否かを判定する（ステップＳ４８５）。ここで、補助遊技フラグが「ＯＮ」に設定されていると判定した場合（ステップＳ４８５：ＹＥＳ）、ＲＡＭ１０３に記憶されている補助遊技残余回数Ｊを「１」減算し、当該Ｊを更新する（ステップＳ４８６）。補助遊技残余回数Ｊは、補助遊技状態が維持される残りの特別図柄の変動回数（特別図柄判定の実行回数）を示し、大当たり遊技が行われた後に実行される遊技状態設定処理において設定される。遊技状態設定処理の詳細については後述する。
【０１２４】
ステップＳ４８６の処理に続いて、ＣＰＵ１０１は、補助遊技残余回数Ｊが「０」であるか否かを判定する（ステップＳ４８７）。ここで、補助遊技残余回数Ｊが「０」であると判定した場合（ステップＳ４８７：ＹＥＳ）、ＣＰＵ１０１は、補助遊技フラグを「ＯＦＦ」に設定する（ステップＳ４８８）。
【０１２５】
ステップＳ４８８の処理を実行した場合、補助遊技フラグが「ＯＮ」ではないと判定した場合（ステップＳ４８５：ＮＯ）、又は補助遊技残余回数Ｊが「０」ではないと判定した場合（ステップＳ４８７：ＮＯ）、ＣＰＵ１０１は、確変遊技フラグが「ＯＮ」に設定されているか否かを判定する（ステップＳ４８９）。
【０１２６】
確変遊技フラグが「ＯＮ」に設定されていると判定した場合（ステップＳ４８９：ＹＥＳ）、ＣＰＵ１０１は、ＲＡＭ１０３に記憶されている高確率遊技残余回数Ｘを「１」減算し、当該Ｘを更新する（ステップＳ４９０）。ここで、高確率遊技残余回数Ｘは、高確率遊技状態で特別図柄判定が行われる残りの回数を示し、大当たり遊技が行われた後に実行される遊技状態設定処理（後述する）において設定される。
【０１２７】
ステップＳ４９０の処理に続いて、ＣＰＵ１０１は、高確率遊技残余回数Ｘが「０」であるか否かを判定する（ステップＳ４９１）。ここで、高確率遊技残余回数Ｘが「０」であると判定した場合（ステップＳ４９１：ＹＥＳ）、ＲＡＭ１０３に記憶されている確変遊技フラグを「ＯＦＦ」に設定する（ステップＳ４９２）。
【０１２８】
ステップＳ４９２の処理が実行された場合、ステップＳ４８４の処理が実行された場合、確変遊技フラグが「ＯＮ」ではないと判定された場合（ステップＳ４８９：ＮＯ）、又は高確率遊技残余回数Ｘが「０」ではないと判定された場合（ステップＳ４９１：ＮＯ）、ＣＰＵ１０１は、図１８の停止中処理を終了する。
【０１２９】
［遊技制御部１００による普通図柄処理］
次に、図１９を参照しつつ、遊技制御部１００によって実行される普通図柄処理の詳細について説明する。図１９は、図１２のステップＳ５の普通図柄処理を示す詳細フローチャートである。
【０１３０】
まず、遊技制御部１００のＣＰＵ１０１は、ＲＡＭ１０３に記憶されている補助フラグが「ＯＮ」に設定されているか否かを判定する（ステップＳ５０１）。補助フラグは、普通図柄判定の結果が当りである場合に「ＯＮ」に設定されるフラグであり、電動チューリップ１７を作動させる当たり遊技中であるか否かを示すフラグである。電動チューリップ１７は、普通図柄判定の結果が当りである場合、所定のパターンで動作する。電動チューリップ１７の動作パターンは、遊技機１の状態が補助遊技状態か否か（補助遊技フラグがＯＮか否か）によって異なる。また、当たりの種類が長開放当たりか短開放当たりかで、電動チューリップ１７の動作パターンは異なる。ここで、補助フラグが「ＯＮ」に設定されていると判定した場合（ステップＳ５０１：ＹＥＳ）、ＣＰＵ１０１は、図１９の普通図柄処理を終了する。
【０１３１】
補助フラグが「ＯＮ」に設定されていないと判定した場合（ステップＳ５０１：ＮＯ）、ＣＰＵ１０１は、普通図柄表示器４５における普通図柄の変動表示中であるか否かを判定し（ステップＳ５０２）、普通図柄の変動表示中ではないと判定した場合（ステップＳ５０２：ＮＯ）、ＲＡＭ１０３に記憶されている普通図柄判定の保留数Ｇが「１」以上であるか否かを判定する（ステップＳ５０３）。ここで、保留数Ｇが「１」以上ではないと判定した場合（ステップＳ５０３：ＮＯ）、ＣＰＵ１０１は、図１９の普通図柄処理を終了する。
【０１３２】
ＣＰＵ１０１は、保留数Ｇが「１」以上であると判定した場合（ステップＳ５０３：ＹＥＳ）、保留数Ｇを「１」減算した値に更新し（ステップＳ５０４）、普通図柄乱数判定処理を実行する（ステップＳ５０５）。具体的には、遊技球がゲート１５又はゲート１６を通過したことに応じて上記ステップＳ３の処理で取得された普通図柄乱数が、ＲＯＭ１０２に記憶されている普通図柄乱数の当選値（補助遊技状態か否かにより異なる）と一致するか否かに基づいて、普通図柄判定の結果が当たりであるか否かを判定する（ステップＳ５０６）。なお、遊技状態が補助遊技状態である場合、普通図柄判定の結果が当たりとなる確率は通常よりも高い。
【０１３３】
ＣＰＵ１０１は、普通図柄判定の結果が当たりではないと判定した場合（ステップＳ５０６：ＮＯ）、ＲＡＭ１０３にハズレ図柄をセットする（ステップＳ５０７）。
【０１３４】
一方、ＣＰＵ１０１は、普通図柄判定の結果が当たりであると判定した場合（ステップＳ５０６：ＹＥＳ）、ＣＰＵ１０１は、普通図柄判定の当たりの種類が長開放当たりか否かを判定する（ステップＳ５０８）。ＲＯＭ１０２には、普通図柄乱数の当選値として、当選後に第２始動口１２を長開放することとなる長開放当たりの当選値と、第２始動口１２を短開放することとなる短開放当たりの当選値とが設定されている。ＣＰＵ１０１は、取得された普通図柄乱数に基づいて、長開放当たりか否かを判定する。なお、普通図柄判定の当落を決定するための普通図柄乱数（第１普通図柄乱数）とは別に、普通図柄の当たりの種類を決定するための乱数（第２普通図柄乱数）が設けられてもよい。この場合、第１普通図柄乱数に基づいて当たりか否かが判定され、当たりである場合に、第２普通図柄乱数に基づいて当たりの種類（長開放当たり、又は短開放当たり）が決定されてもよい。
【０１３５】
長開放当たりであると判定した場合（ステップＳ５０８：ＹＥＳ）、ＣＰＵ１０１は、長開放当たり図柄をＲＡＭ１０３にセットする（ステップＳ５０９）。一方、長開放当たりでないと判定した場合（ステップＳ５０８：ＮＯ）、ＣＰＵ１０１は、短開放当たり図柄をＲＡＭ１０３にセットする（ステップＳ５１０）。
【０１３６】
ステップＳ５０７の処理、ステップＳ５０９の処理、又はステップＳ５１０の処理に続いて、ＣＰＵ１０１は、ＲＡＭ１０３に記憶されている補助遊技フラグがＯＮか否かに基づいて、パチンコ遊技機１の遊技状態が、補助遊技状態であるか否かを判定する（ステップＳ５１１）。
【０１３７】
ＣＰＵ１０１は、補助遊技状態ではないと判定した場合（ステップＳ５１１：ＮＯ）、普通図柄表示器４５において普通図柄を変動表示させる時間である普通図柄変動時間を例えば２５秒にセットする（ステップＳ５１２）。逆に、補助遊技状態であると判定した場合（ステップＳ５１１：ＹＥＳ）、普通図柄変動時間を比較的短い値、例えば２秒にセットする（ステップＳ５１３）。このステップＳ５１２又はステップＳ５１３の処理によってセットされた普通図柄変動時間は、ＲＡＭ１０３に一時的に記憶される。
【０１３８】
ステップＳ５１２又はステップＳ５１３の処理に続いて、ＣＰＵ１０１は、普通図柄の変動が開始することを示す普通図柄の変動開始コマンドをＲＡＭ１０３にセットする（ステップＳ５１４）。次に、ＣＰＵ１０１は、普通図柄表示器４５において普通図柄の変動表示を開始させ（ステップＳ５１５）、その変動表示開始からの経過時間の計測を開始する（ステップＳ５１６）。
【０１３９】
一方、ＣＰＵ１０１は、普通図柄表示器４５において普通図柄の変動表示中であると判定した場合（ステップＳ５０２：ＹＥＳ）、普通図柄の変動表示を終了させるか否かを判定する（ステップＳ５１７）。具体的には、ステップＳ５１５の処理によって計測を開始した経過時間が、上記ステップＳ５１２又はステップＳ５１３の処理で設定された普通図柄変動時間に達したか否かに基づいて、普通図柄の変動表示の終了タイミングになったか否かを判定する。ここで、終了タイミングになっていないと判定した場合（ステップＳ５１７：ＮＯ）、ＣＰＵ１０１は、図１９の普通図柄処理を終了する。
【０１４０】
ＣＰＵ１０１は、普通図柄の変動表示の終了タイミングになったと判定した場合（ステップＳ５１７：ＹＥＳ）、普通図柄の変動表示を停止させることを示す普通図柄の変動停止コマンドをＲＡＭ１０３にセットし（ステップＳ５１８）、普通図柄表示器４５による普通図柄の変動表示を終了させる（ステップＳ５１９）。具体的には、ＣＰＵ１０１は、上記ステップＳ５０７、ステップＳ５０９、又はステップＳ５１０の処理でセットした図柄を普通図柄表示器４５に停止表示させる。これにより、普通図柄判定の結果が遊技者に対して報知される。
【０１４１】
ステップＳ５１９の処理に続いて、ＣＰＵ１０１は、上記ステップＳ５１５の処理によって計測が開始された経過時間をリセットする（ステップＳ５２０）。そして、上記ステップＳ５０６と同様に、普通図柄判定の結果が当たりであるか否かを判定し（ステップＳ５２１）、当たりであると判定した場合（ステップＳ５２１：ＹＥＳ）、補助フラグを「ＯＮ」に設定する（ステップＳ５２２）。この補助フラグが「ＯＮ」に設定されることにより、電動チューリップ１７が作動する。
【０１４２】
ステップＳ５２２の処理の後、ステップＳ５１７の処理でＮＯと判定した場合、またはステップＳ５２１の処理でＮＯと判定した場合、ＣＰＵ１０１は、図１９の普通図柄処理を終了する。
【０１４３】
［遊技制御部１００による大入賞口処理］
次に、図２０を参照しつつ、遊技制御部１００によって実行される大入賞口処理の詳細について説明する。図２０は、図１２のステップＳ６の大入賞口処理を示す詳細フローチャートである。
【０１４４】
図２０に示されるように、遊技制御部１００のＣＰＵ１０１は、大当たり遊技フラグがＯＮであるか否かを判定する（ステップＳ６０１）。ここで、大当たり遊技フラグは、上記ステップＳ４８１でＯＮに設定されるフラグである。大当たり遊技フラグがＯＮの場合（ステップＳ６０１：ＹＥＳ）、ＣＰＵ１０１は、オープニング中か否かを判定する（ステップＳ６０２）。
【０１４５】
オープニング中であれば（ステップＳ６０２：ＹＥＳ）、ＣＰＵ１０１は、オープニング時間が経過したか否かを判定する（ステップＳ６０３）。オープニング時間が経過していれば（ステップＳ６０３：ＹＥＳ）、ＣＰＵ１０１は、大当たり判定処理の結果に応じて、大入賞口１３の開放パターンを設定し（ステップＳ６０４）、設定した開放パターンで大入賞口１３の開放制御を開始する（ステップＳ６０５）。ステップＳ６０５の処理の後、ＣＰＵ１０１は、次にステップＳ６０７の処理を実行する。
【０１４６】
一方、オープニング中でなければ（ステップＳ６０２：ＮＯ）、ＣＰＵ１０１は、エンディング中か否かを判定する（ステップＳ６０６）。エンディング中でなければ（ステップＳ６０６：ＮＯ）、ＣＰＵ１０１は、次にステップＳ６０７の処理を実行し、エンディング中であれば（ステップＳ６０６：ＹＥＳ）、次にステップＳ６１１の処理を実行する。
【０１４７】
ステップＳ６０７において、ＣＰＵ１０１は、ステップＳ６０４で設定した開放パターンでの大入賞口１３の開放制御が終了したか否かを判定する。判定結果が肯定の場合（ステップＳ６０７：ＹＥＳ）、ＣＰＵ１０１は、大入賞口１３の開放制御を終了する（ステップＳ６０８）。続いて、ＣＰＵ１０１は、エンディングコマンドをＲＡＭ１０３にセットする（ステップＳ６０９）。ここでセットされたエンディングコマンドは、図１２のステップ９の出力処理において演出制御部１３０に送信される。演出制御部１３０は、当該エンディングコマンドを受信したことに応じて、大当たり遊技が終了することを示すエンディング演出を実行する。次に、ＣＰＵ１０１は、エンディング時間の計測を開始する（Ｓ６１０）。
【０１４８】
ＣＰＵ１０１は、ステップＳ６１０の処理を行った場合、またはステップＳ６０６の処理でＹＥＳと判定した場合、予め設定されたエンディング時間が経過したか否かを判定する（ステップＳ６１１）。エンディング時間が経過していれば（ステップＳ６１１：ＹＥＳ）、ＣＰＵ１０１は、遊技状態設定処理を実行する（ステップＳ６１２）。遊技状態設定処理の詳細については、後述する。ステップＳ６１２の遊技状態設定処理の後、ＣＰＵ１０１は、大当たり遊技フラグをＯＦＦに設定する（ステップＳ６１３）。
【０１４９】
ステップＳ６０１の処理でＮＯと判定した場合、ステップＳ６０３の処理でＮＯと判定した場合、ステップＳ６０７の処理でＮＯと判定した場合、ステップＳ６１１の処理でＮＯと判定した場合、または、ステップＳ６１３の処理を実行した場合、ＣＰＵ１０１は、図２０に示す大入賞口処理を終了する。
【０１５０】
［遊技制御部１００による遊技状態設定処理］
次に、図２０のステップＳ６１２の遊技状態設定処理について説明する。図２１は、図２０のステップＳ６１２の遊技状態設定処理を示す詳細フローチャートである。
【０１５１】
図２１に示されるように、ＣＰＵ１０１は、大当たりの種類が高確率遊技状態への移行を伴う確変大当たりか否かを判定する（ステップＳ６３０）。確変大当たりであった場合（ステップＳ６３０：ＹＥＳ）、ＣＰＵ１０１は、確変遊技フラグをＯＮに設定する（ステップＳ６３１）。続いて、ＣＰＵ１０１は、高確率遊技残余回数ＸにＸｍａｘを設定する（ステップＳ６３２）。ここで、Ｘｍａｘは予め定められた値であり、Ｘｍａｘとして非常に大きな値、例えば、１００００が設定される。Ｘに非常に大きな値Ｘｍａｘが設定されるため、事実上、高確率遊技残余回数Ｘが０になるまでに、遊技機１は、次の大当たりとなる。
【０１５２】
ステップＳ６３２の処理の後、ＣＰＵ１０１は、補助遊技フラグをＯＮに設定する（ステップＳ６３３）。その後、ＣＰＵ１０１は、補助遊技残余回数ＪにＪｍａｘを設定する（ステップＳ６３４）。Ｊｍａｘは予め定められた値であり、Ｊｍａｘとして非常に大きな値、例えば、１００００が設定される。
【０１５３】
一方、確変大当たりでない場合（ステップＳ６３０：ＮＯ）、ＣＰＵ１０１は、補助遊技フラグをＯＮに設定し（ステップＳ６３５）、補助遊技残余回数Ｊに１００を設定する（ステップＳ６３６）。
【０１５４】
ステップＳ６３４の処理またはステップＳ６３６の処理を実行した場合、ＣＰＵ１０１は、図２１に示す遊技状態設定処理を終了する。
【０１５５】
［遊技制御部１００による電動チューリップ処理］
次に、図１２のステップＳ７の電動チューリップ処理の詳細について説明する。図２２は、図１２の電動チューリップ処理の詳細フローチャートである。
【０１５６】
まず、遊技制御部１００のＣＰＵ１０１は、補助フラグが「ＯＮ」に設定されているか否かを判定する（ステップＳ７０１）。ここで、補助フラグが「ＯＮ」に設定されていないと判定した場合（ステップＳ７０１：ＮＯ）、ＣＰＵ１０１は、電動チューリップ処理を終了する。
【０１５７】
ＣＰＵ１０１は、補助フラグが「ＯＮ」に設定されていると判定した場合（ステップＳ７０１：ＹＥＳ）、電動チューリップ１７が動作中であるか否かを判定する（ステップＳ７０２）。ここで、電動チューリップ１７が動作中ではないと判定した場合（ステップＳ７０２：ＮＯ）、ＣＰＵ１０１は、補助遊技フラグがＯＮか否かを判定することにより、パチンコ遊技機１の遊技状態が補助遊技状態であるか否かを判定する（ステップＳ７０３）。
【０１５８】
ＣＰＵ１０１は、補助遊技状態ではないと判定した場合（ステップＳ７０３：ＮＯ）、上記ステップＳ５０９又はステップＳ５１０でセットした図柄に基づいて、長開放当たりか否かを判定する（ステップＳ７０４）。長開放当たりでないと判定した場合（ステップＳ７０４：ＮＯ）、ＣＰＵ１０１は、電動チューリップ１７の動作パターンとして、例えば第２始動口１２を０．１秒間開放する動作を１回行う動作パターンをＲＡＭ１０３にセットする（ステップＳ７０５）。
【０１５９】
長開放当たりであると判定した場合（ステップＳ７０４：ＹＥＳ）、ＣＰＵ１０１は、電動チューリップ１７の動作パターンとして、例えば第２始動口１２を５．６秒間開放する動作を１回行う動作パターンをＲＡＭ１０３にセットする（ステップＳ７０６）。
【０１６０】
一方、ＣＰＵ１０１は、補助遊技状態であると判定した場合（ステップＳ７０３：ＹＥＳ）、電動チューリップ１７の動作パターンとして、例えば第２始動口１２を１．８秒間開放する動作を３回行う動作パターンをＲＡＭ１０３にセットする（ステップＳ７０７）。
【０１６１】
ＣＰＵ１０１は、ステップＳ７０５、ステップＳ７０６、又はステップＳ７０７の処理によって電動チューリップ１７の動作パターンを設定した後、設定した動作パターンでの電動チューリップ１７の動作を電動チューリップ開閉部１１３に開始させる（ステップＳ７０８）。
【０１６２】
ＣＰＵ１０１は、ステップＳ７０８の処理を実行した場合、または電動チューリップ１７の動作中であると判定した場合（ステップＳ７０２：ＹＥＳ）、ステップＳ７０８の処理で開始された電動チューリップ１７の動作が完了したか否かを判定する（ステップＳ７０９）。ここで、電動チューリップ１７の動作が完了したと判定した場合（ステップＳ７０９：ＹＥＳ）、ＣＰＵ１０１は、ＲＡＭ１０３に記憶されている補助フラグを「ＯＦＦ」に設定する（ステップＳ７１０）。
【０１６３】
ステップＳ７０１の処理でＮＯと判定した場合、ステップＳ７０９の処理でＮＯと判定した場合、またはステップＳ７１０の処理を実行した場合、ＣＰＵ１０１は、電動チューリップ処理を終了する。
【０１６４】
［演出制御部１３０による演出制御処理］
次に、上述した遊技制御部１００からの各種コマンドに基づいた演出制御の詳細について図２３〜図２６を参照して説明する。
【０１６５】
図２３は、演出制御部１３０において行われる処理の詳細を示すフローチャートである。以下では、図２３〜図２６に示す処理を演出制御部１３０が行うものとして説明するが、これらの処理の一部または全部は、演出制御部１３０、画像音響制御部１４０、およびランプ制御部１５０の何れにおいて実行されてもよい。また、パチンコ遊技機１の電源が投入されると、演出制御部１３０のＣＰＵ１３１は、図２３に示す一連の処理を割り込みにより一定時間（例えば４ミリ秒）毎に繰り返し実行する。
【０１６６】
演出制御部１３０は、コマンド制御処理を実行する（ステップＳ１００１）。コマンド制御処理は、遊技制御部１００からの各種コマンドを受信したことに応じて、演出を制御する処理である。具体的には、演出制御部１３０は、遊技制御部１００から遊技情報としてのコマンドを受信し、受信したコマンドに応じて、演出の内容を決定し、当該決定した演出を画像音響制御部１４０及びランプ制御部１５０に実行させるためのコマンドを生成する。そして生成したコマンドを画像音響制御部１４０及びランプ制御部１５０に送信する。また、演出制御部１３０は、演出ボタン２６や演出キー２７に対する操作に応じたコマンド（次のステップＳ１００２）を送信する。このコマンドに応じて画像音響制御部１４０及びランプ制御部１５０は、所定の演出を実行する。このコマンド制御処理の詳細については、図２４に基づいて後に詳述する。
【０１６７】
ステップＳ１００１の処理に続いて、演出制御部１３０は、操作受付処理を実行する（ステップＳ１００２）。具体的には、ＣＰＵ１３１は、演出ボタン２６や演出キー２７が操作された場合にその操作に応じた操作コマンドを生成してＲＡＭ１３３に設定する。以上で、図２３に示す処理は終了する。
【０１６８】
［演出制御部１３０によるコマンド制御処理］
以下、図２４を参照しつつ、演出制御部１３０において実行されるコマンド制御処理について説明する。ここで、図２４は、図２３のステップＳ１００１におけるコマンド制御処理の詳細フローチャートである。
【０１６９】
まず、演出制御部１３０は、遊技制御部１００から送信された保留コマンドを受信したか否かを判定する（ステップＳ１３０１）。保留コマンドを受信したと判定した場合（ステップＳ１３０１：ＹＥＳ）、演出制御部１３０は、事前判定処理を実行する（ステップＳ１３０２）。
【０１７０】
ステップＳ１３０２の処理では、演出制御部１３０は、保留コマンド（ステップＳ２０６、ステップＳ２１２、又は、ステップＳ３０５でセットされたコマンド）に含まれる情報に基づいて、事前判定を行い、当該事前判定の結果に基づいて演出の内容を決定して実行する。
【０１７１】
例えば、演出制御部１３０は、普通図柄の保留コマンド（ステップＳ３０５の保留コマンド）を受信した場合、当該コマンドに含まれる普通図柄判定の結果に基づいて、所定の演出を行う。例えば、普通図柄判定の結果が長開放当たりである場合、図６で説明した大砲の画像５３を液晶表示器５に表示させることにより、後に図６に示す演出が行われることを事前に予告する。また、例えば、演出制御部１３０は、特別図柄の保留コマンド（ステップＳ２０６又はステップＳ２１２の保留コマンド）を受信した場合、当該コマンドに含まれる特別図柄判定の結果に基づいて大当たりとなるか否かを判定し、判定結果に応じて、受信した保留コマンドに対応する保留画像の表示態様を決定して保留画像を液晶表示器５に表示させる。
【０１７２】
ステップＳ１３０２の処理を実行した場合、又は、保留コマンドを受信していないと判定した場合（ステップＳ１３０１：ＮＯ）、演出制御部１３０は、特別図柄の変動開始コマンド（ステップＳ４０９でセットされたコマンド）を受信したか否かを判定する（ステップＳ１３０３）。
【０１７３】
特別図柄の変動開始コマンドを受信した場合（ステップＳ１３０３：ＹＥＳ）、演出制御部１３０は、特図変動演出処理を実行する（ステップＳ１３０４）。以下、図２５を参照して特図変動演出処理の詳細について説明する。
【０１７４】
図２５は、図２４のステップＳ１３０４における特図変動演出処理の詳細を示すフローチャートである。
【０１７５】
図２５に示すように、演出制御部１３０は、受信した特別図柄の変動開始コマンドを解析する（ステップＳ１３２１）。ここでは、演出制御部１３０は、受信した変動開始コマンドに基づいて、特別図柄判定の結果が大当たりか否か、大当たりであった場合の大当たりの種類、変動パターン等を判別する。そして、演出制御部１３０は、解析結果に基づいて、特別図柄の変動に伴って行われる特図変動演出の内容を決定する（ステップＳ１３２２）。決定した特図変動演出の内容、及び、特別図柄判定の結果は、演出制御部１３０に一時的に記憶される。
【０１７６】
演出制御部１３０は、特図変動演出として擬似連続予告演出を伴う演出、大当たりとなる信頼度の高いリーチ演出、信頼度の低いリーチ演出、複数の特別図柄の変動にわたって行われる連続演出、演出ボタン２６を用いた演出等を実行可能である。演出制御部１３０は、受信した変動開始コマンドに含まれる変動パターンに基づいて、演出の内容を決定する。そして、演出制御部１３０は、決定した特図変動演出の実行を開始する（ステップＳ１３２３）。具体的には、演出制御部１３０は、画像音響制御部１４０やランプ制御部１５０に対して演出の実行を指示するコマンドを送信し、これら制御部に演出を実行させ、図２５に示す処理を終了する。
【０１７７】
図２４に戻り、ステップＳ１３０４の処理を実行した場合、又は、特別図柄の変動開始コマンドを受信していないと判定した場合（ステップＳ１３０３：ＮＯ）、演出制御部１３０は、特別図柄の変動停止コマンドを受信したか否かを判定する（ステップＳ１３０５）。
【０１７８】
特別図柄の変動停止コマンドを受信した場合（ステップＳ１３０５：ＹＥＳ）、演出制御部１３０は、特図変動演出終了処理を実行する（ステップＳ１３０６）。特図変動演出終了処理では、演出制御部１３０は、例えば液晶表示器５に変動表示されている装飾図柄５１を停止表示させて、特図変動演出を終了させる。
【０１７９】
ステップＳ１３０６の処理を実行した場合、又は、特別図柄の変動停止コマンドを受信していないと判定した場合（ステップＳ１３０５：ＮＯ）、演出制御部１３０は、普通図柄の変動開始コマンド（ステップＳ５１４でセットされたコマンド）を受信したか否かを判定する（ステップＳ１３０７）。
【０１８０】
普通図柄の変動開始コマンドを受信した場合（ステップＳ１３０７：ＹＥＳ）、演出制御部１３０は、普図変動演出処理を実行する（ステップＳ１３０８）。以下、図２６を参照して普図変動演出処理の詳細について説明する。
【０１８１】
図２６は、図２４のステップＳ１３０８における普図変動演出処理の詳細を示すフローチャートである。
【０１８２】
図２６に示すように、演出制御部１３０は、受信した普通図柄の変動開始コマンドを解析する（ステップＳ１３３１）。ここでは、演出制御部１３０は、受信した普通図柄の変動開始コマンドに基づいて、普通図柄判定の結果が長開放当たりか否かを判別する。そして、演出制御部１３０は、解析結果に基づいて、普通図柄の変動に伴って行われる普図変動演出（図６に示す演出）を行うか否かを判定する（ステップＳ１３３２）。演出制御部１３０は、普通図柄の変動開始コマンドの解析結果に基づいて抽選を行い、普図変動演出を行うか否かを判定する。
【０１８３】
具体的には、演出制御部１３０は、普通図柄判定の結果が長開放当たりである場合、短開放当たり又はハズレである場合よりも高い確率で、普図変動演出を行うと判定する。
【０１８４】
普図変動演出を行わないと判定した場合（ステップＳ１３３２：ＮＯ）、演出制御部１３０は、図２６に示す処理を終了する。普図変動演出を行うと判定した場合（ステップＳ１３３２：ＹＥＳ）、演出制御部１３０は、特別図柄が変動中か否かを判定する（ステップＳ１３３３）。
【０１８５】
特別図柄が変動中である場合（ステップＳ１３３３：ＹＥＳ）、演出制御部１３０は、図２５のステップＳ１３２２において記憶した特別図柄判定の結果、及び、特図変動演出の内容を取得する（ステップＳ１３３４）。
【０１８６】
続いて、演出制御部１３０は、普通図柄判定の判定結果と、特図変動演出の内容とに基づいて、普図変動演出の内容を決定する（ステップＳ１３３５）。
【０１８７】
具体的には、演出制御部１３０は、図６に示すように、大砲の画像５２を表示させた後に、図８に示す画像のうちどの画像を表示させるかを決定する。例えば、演出制御部１３０は、普通図柄判定の結果が長開放当たりであり、かつ、現在の特別図柄の変動において擬似連続予告演出が行われる場合、報知画像５５としてのキャラクタの画像と、示唆画像５６としての「擬似連」画像とを表示させると決定する。また、演出制御部１３０は、普通図柄判定の結果が長開放当たりであり、かつ、現在の特別図柄の変動においてハズレとなる場合は、遊技履歴ポイントを付与するか否かの抽選を行い、当該抽選結果に応じて、キャラクタの画像と「パチログ」画像とを表示させると決定する。
【０１８８】
一方、特別図柄が変動中でない場合（ステップＳ１３３３：ＮＯ）、演出制御部１３０は、普通図柄判定の結果に基づいて、演出の内容を決定する（ステップＳ１３３６）。具体的には、演出制御部１３０は、普通図柄判定の結果が長開放当たりである場合、報知画像５５としてキャラクタの画像を表示させると決定する。普通図柄判定の結果が短開放当たり又はハズレである場合は、演出制御部１３０は、遊技履歴ポイントを付与するか否かの抽選を行い、当該抽選結果に応じて、「パチログ」画像を表示させると決定する。
【０１８９】
ステップＳ１３３５の処理、又は、ステップＳ１３３６の処理を行った後、演出制御部１３０は、決定した内容の普図変動演出を実行する（ステップＳ１３３７）。以上で、図２６に示す処理は終了する。
【０１９０】
図２４に戻り、ステップＳ１３０８の処理を実行した場合、又は、普通図柄の変動開始コマンドを受信していないと判定した場合（ステップＳ１３０７：ＮＯ）、演出制御部１３０は、普通図柄の変動停止コマンドを受信したか否かを判定する（ステップＳ１３０９）。
【０１９１】
普通図柄の変動停止コマンドを受信した場合（ステップＳ１３０９：ＹＥＳ）、演出制御部１３０は、普図変動演出終了処理を実行する（ステップＳ１３１０）。この処理によって上記普図変動演出が終了する。
【０１９２】
ステップＳ１３１０の処理を実行した場合、又は、普通図柄の変動停止コマンドを受信していないと判定した場合（ステップＳ１３０９：ＮＯ）、演出制御部１３０は、オープニングコマンドを受信したか否かを判定する（ステップＳ１３１１）。
【０１９３】
オープニングコマンドを受信した場合（ステップＳ１３１１：ＹＥＳ）、演出制御部１３０は、オープニング処理を実行する（ステップＳ１３１２）。オープニング処理は、大当たり遊技が開始される際に行われるオープニング演出、および大当たり遊技中に行われる大当たり演出を決定する処理である。演出制御部１３０は、大当たりの種類等に応じて、オープニング演出や大当たり演出の内容を決定し、これらの演出を画像音響制御部１４０やランプ制御部１５０に実行させる。
【０１９４】
ステップＳ１３１２の処理を実行した場合、又は、オープニングコマンドを受信していないと判定した場合（ステップＳ１３１１：ＮＯ）、演出制御部１３０は、エンディングコマンドを受信したか否かを判定する（ステップＳ１３１３）。
【０１９５】
エンディングコマンドを受信した場合（ステップＳ１３１３：ＹＥＳ）、演出制御部１３０は、エンディング処理を実行する（ステップＳ１３１４）。エンディング処理は、大当たり遊技が終了する際に行われるエンディング演出を決定する処理である。演出制御部１３０は、エンディング処理の結果を示すコマンドを画像音響制御部１４０やランプ制御部１５０に送信してエンディング演出を実行させる。
【０１９６】
以上で演出制御部１３０は、図２４に示す処理を終了する。
【０１９７】
なお、特図変動演出の実行状況によって、特図変動演出の内容を示唆する示唆画像５６を表示可能な場合と表示不可能な場合があってもよい。図２７は、特図変動演出の実行状況によって示唆画像を表示可能な場合を示す図である。図２８は、特図変動演出の実行状況によって示唆画像の表示が禁止される場合を示す図である。
【０１９８】
図２７に示すように、特別図柄の変動に応じた特図変動演出では、特別図柄の変動に応じてリーチ前演出が行われた後、リーチ演出が行われる場合がある。リーチ前演出では、３つの装飾図柄が液晶表示器５において変動する演出が行われ、大当たりを期待させる予告演出が行われる場合がある。リーチ演出では、液晶表示器５に２つの同種の装飾図柄が停止し、３つ目の同種の装飾図柄が停止することを遊技者に期待させる演出が行われる。このような特図変動演出が行われる場合において、普通図柄の変動開始のタイミングが、リーチ前演出の実行中である場合は、上記示唆画像５６を表示可能である。
【０１９９】
一方、図２８に示すように、リーチ演出の実行中は、上記示唆画像５６（図８の特図変動演出の内容を示唆する示唆画像のうちの全部又は一部の画像）の表示は禁止される。すなわち、示唆画像５６は、特別図柄判定の結果や特図変動演出の内容を示唆するためのものであり、既にリーチ演出が行われている場合は、示唆画像５６を表示しなくてもよい。このため、リーチ演出の実行中は、示唆画像５６は表示されない。
【０２００】
図２９は、擬似連続予告演出が行われる場合において示唆画像を表示可能な場合を示す図である。
【０２０１】
図２９に示すように、擬似連続予告演出では、特別図柄の変動が開始されてから停止するまでに、装飾図柄５１を擬似的に変動させてから擬似的に停止させる擬似変動演出が複数回行われる。このような場合において、擬似連続予告演出を示唆する「擬似連」画像は、最後の擬似変動が行われる前に表示可能であり、最後の擬似変動が行われた後においては表示が禁止されてもよい。すなわち、「擬似連」画像は、擬似変動演出が継続する（次の擬似変動が行われる）ことを示唆するためのものであるため、次の擬似変動演出が行われない場合には、「擬似連」画像は表示されない。
【０２０２】
図３０は、連続演出が行われる場合において示唆画像を表示可能な場合を示す図である。
【０２０３】
図３０に示すように、複数の特別図柄の変動にわたる一連の連続演出（ゾーン演出）が行われる場合がある。このような場合において、連続演出が開始する前においては、連続演出を示唆する示唆画像５６（上記「ゾーン」画像）は表示可能であり、連続演出が開始された後においては、示唆画像５６は表示されなくてもよい。
【０２０４】
また、特図変動演出の実行状況によって、上述した普図変動演出（大砲が出現して弾を発射する演出）を実行可能な場合と実行不可能な場合とがあってもよい。
【０２０５】
図３１は、特図変動演出の実行状況によって普図変動演出を実行可能な場合と実行が禁止される場合の一例を示す図である。
【０２０６】
図３１に示すように、例えば普通図柄の変動開始時に、大砲を出現させる普図変動演出を実行するか否かを、その普図変動演出の開始時点が特図変動演出におけるリーチ成立前か後かによって決定してもよい。例えば、普図変動演出が特図変動演出のリーチ成立時点（２つの同種の装飾図柄が揃う時点）をまたぐ場合には、リーチ成立前に普図変動演出を開始し、リーチ成立後も普図変動演出を継続してもよい。すなわち、リーチ成立前に普図変動演出を開始可能であれば、普図変動演出を実行し、リーチが成立しても普図変動演出を途中で終了させずに最後まで実行してもよい。また、リーチ成立時点よりも後に普図変動演出が開始されるか否かを普通図柄の変動開始時に判定し、リーチ成立時点よりも後に普図変動演出が開始される場合は、普図変動演出を行わないようにしてもよい。この場合において普通図柄判定の結果が長開放当たりである場合には、第２始動口１２が開放されるときにその開放を示す画像のみが画面に表示されておよい。
【０２０７】
図３２は、特図変動演出の実行状況によって普図変動演出を実行可能な場合と実行が禁止される場合の他の例を示す図である。
【０２０８】
図３２に示すように、例えば普通図柄の変動開始時に、大砲を出現させる普図変動演出を実行するか否かを、その普図変動演出の終了時点が特図変動演出におけるリーチ成立前か後かによって決定してもよい。例えば、普図変動演出の終了時点が、リーチ成立前であれば、普図変動演出を実行してもよい。また、例えば、普図変動演出がリーチ成立時点をまたぐ場合には、普図変動演出の実行を禁止してもよい。リーチ成立時点と普図変動演出の終了時点は、普通図柄の変動開始時において判定することができる。すなわち、遊技機１は、普通図柄の変動開始時点において特別図柄が開始してからの経過時間と、特別図柄の変動パターン（変動時間）とに基づいて、何秒後にリーチが成立するかを計算することができる。普通図柄の変動時間は予め定められているため、遊技機１は、普図変動演出の終了時点がリーチ成立時点よりも前か否かを判定することができる。
【０２０９】
このように、遊技機１は、普通図柄の変動開始時に、特別図柄の変動時間と特別図柄の変動開始からの経過時間とに基づいてリーチ成立時点を特定することができる。そして、リーチ成立前に普図変動演出が開始されるか否か、普図変動演出が終了されるか否か等に基づいて、普図変動演出を実行するか否かを判定してもよい。
【０２１０】
以上のように、本実施形態では、普通図柄の変動に応じて、普図変動演出が行われる。普図変動演出では、普通図柄判定の結果が長開放当たりである場合、当該長開放当たりを報知するための報知演出が行われる。また、普図変動演出において、特別図柄判定の結果または特別図柄の変動に伴って行われる特図変動演出の内容を示唆する示唆演出も行われる。
【０２１１】
本実施形態では、報知演出および示唆演出が同時に行われることにより、特別図柄判定の結果および普通図柄判定の結果に基づく演出を効率的に行うことができる。また、報知演出および示唆演出が同時に行われることにより、普図変動演出が開始された場合の遊技者の期待感を高めることができる。すなわち、普図変動演出が開始されると、普通図柄判定において長開放当たりとなることに対する期待感が高まるとともに、これに伴って特別図柄判定において大当たりとなることを示唆する演出が行われるという期待感が高まる。このような演出を行うことにより、興趣性を向上させることができる。
【０２１２】
［変形例］
なお、本発明は上記実施形態に限定されるものではなく、以下の形態であってもよい。
【０２１３】
例えば、上記実施形態では、画像を表示することによって上記報知演出および示唆演出を行ったが、これらの演出は画像に限らず演出用の可動役物を用いて行われてもよい。
【０２１４】
また、上記実施形態では、普通図柄判定に基づく普図変動演出において、普通図柄判定の結果を報知する報知演出と、特別図柄判定に基づく特図変動演出の内容を示唆する示唆演出とを行った。他の実施形態では、特別図柄の変動に応じて、上述のような演出が行われてもよい。
【０２１５】
また、上記実施形態では、特別図柄判定および普通図柄判定に関わらない演出として遊技履歴ポイントを付与する演出を行った。他の実施形態では、これらの判定に関わらない演出として、他の任意の演出が行われてもよい。
【０２１６】
また、上記実施形態において説明したパチンコ遊技機１の構成は単なる一例に過ぎず、他の構成であっても本発明を実現できることは言うまでもない。また、上述したフローチャートにおける処理の順序、設定値、判定に用いられる閾値等は単なる一例に過ぎず、本発明の範囲を逸脱しなければ他の順序や値であっても、本発明を実現できることは言うまでもない。
【０２１７】
また、上記実施形態では、本発明がパチンコ遊技機に適用された場合を例に説明したが、本発明は、例えばスロットマシン等の他の遊技機にも適用可能である。
【０２１８】
［本発明に係る遊技機の構成とその作用効果］
以上説明したように、本発明に係る遊技機は以下のような構成であってもよい。なお、括弧書きは単なる例示にすぎない。
【０２１９】
本発明に係る遊技機は、第１始動領域（１１）と、遊技球が通過し難い第１状態と通過し易い第２状態とに変化可能な第２始動領域（１２）と、前記第１始動領域または前記第２始動領域への遊技球の通過を条件として、第１図柄表示手段に第１図柄（特別図柄）を変動させてから停止させることにより、第１図柄判定の結果を報知する第１図柄制御手段（１０１、Ｓ４１０、Ｓ４１４）と、前記第１図柄判定の結果に応じて、遊技者にとって有利な特別遊技を行う特別遊技実行手段（Ｓ６）と、第３始動領域（１５、１６）への遊技球の通過を条件として、第２図柄表示手段に第２図柄（普通図柄）を変動させてから停止させることにより、第２図柄判定の結果を報知する第２図柄制御手段（Ｓ５１５、Ｓ５１９）と、前記第２図柄判定の結果に応じて、前記第２始動領域を前記第２状態に変化させる可変制御手段（Ｓ７）と、前記第１図柄の変動に応じた第１図柄演出（特図変動演出）を行う第１図柄演出制御手段と、前記第２図柄の変動に応じて所定の演出を行う第２図柄演出制御手段とを備え、前記第２図柄演出制御手段は、前記第１図柄判定の結果又は前記第１図柄演出の内容を示唆する示唆演出（５６）、および、前記第２図柄判定の結果を示す報知演出（５５）、を同時に行う。
【０２２０】
上記構成によれば、第１図柄判定の結果又は第１図柄演出の内容を示唆する示唆演出、および、第２図柄判定の結果を報知する報知演出を同時に行うことができる。これにより、第２図柄判定の結果の報知と第１図柄演出の内容の示唆とを同じ演出において同時に行うことができる。
【符号の説明】
【０２２１】
１    パチンコ遊技機
５    液晶表示器
７    可動役物
１１  第１始動口
１２  第２始動口
１３  大入賞口
４１  第１特別図柄表示器
４２  第２特別図柄表示器
５１  装飾図柄
５５  報知画像
５６  示唆画像
１００  遊技制御部
１０１  ＣＰＵ
１３０  演出制御部
１３１  ＣＰＵ
１５０  ランプ制御部
【図１】
2014144116.tif 000003
【図２】
2014144116.tif 000004
【図３】
2014144116.tif 000005
【図４】
2014144116.tif 000006
【図５】
2014144116.tif 000007
【図６】
2014144116.tif 000008
【図７】
2014144116.tif 000009
【図８】
2014144116.tif 000010
【図９】
2014144116.tif 000011
【図１０】
2014144116.tif 000012
【図１１】
2014144116.tif 000013
【図１２】
2014144116.tif 000014
【図１３】
2014144116.tif 000015
【図１４】
2014144116.tif 000016
【図１５】
2014144116.tif 000017
【図１６】
2014144116.tif 000018
【図１７】
2014144116.tif 000019
【図１８】
2014144116.tif 000020
【図１９】
2014144116.tif 000021
【図２０】
2014144116.tif 000022
【図２１】
2014144116.tif 000023
【図２２】
2014144116.tif 000024
【図２３】
2014144116.tif 000025
【図２４】
2014144116.tif 000026
【図２５】
2014144116.tif 000027
【図２６】
2014144116.tif 000028
【図２７】
2014144116.tif 000029
【図２８】
2014144116.tif 000030
【図２９】
2014144116.tif 000031
【図３０】
2014144116.tif 000032
【図３１】
2014144116.tif 000033
【図３２】
2014144116.tif 000034
【手続補正書】
【提出日】平成26年3月25日(2014.3.25)
【手続補正１】
【補正対象書類名】明細書
【補正対象項目名】０００７
【補正方法】変更
【補正の内容】
【０００７】
本発明に係る遊技機は、第１始動領域と、遊技球が通過し難い第１状態と通過し易い第２状態とに変化可能な第２始動領域と、前記第１始動領域または前記第２始動領域への遊技球の通過を条件として、第１図柄表示手段に第１図柄を変動させてから停止させることにより、第１図柄判定の結果を報知する第１図柄制御手段と、前記第１図柄判定の結果に応じて、遊技者にとって有利な特別遊技を行う特別遊技実行手段と、第３始動領域への遊技球の通過を条件として、第２図柄表示手段に第２図柄を変動させてから停止させることにより、第２図柄判定の結果を報知する第２図柄制御手段と、前記第２図柄判定の結果に応じて、前記第２始動領域を前記第２状態に変化させる可変制御手段と、前記第１図柄の変動に応じた第１図柄演出を行う第１図柄演出制御手段と、前記第２図柄の変動に応じて所定の演出を行う第２図柄演出制御手段とを備え、前記第１図柄演出は、第１演出と当該第１演出の後に行われる第２演出とを含み、前記第２図柄演出制御手段は、前記第２演出を示唆する示唆演出、および、前記第２図柄判定の結果を示す報知演出、を同時に実行可能であり、前記第２図柄演出制御手段は、前記第２演出が実行される前は前記示唆演出を行い、前記第２演出が実行された後は、前記示唆演出の全部又は一部の実行を制限する。
【手続補正２】
【補正対象書類名】特許請求の範囲
【補正対象項目名】全文
【補正方法】変更
【補正の内容】
【特許請求の範囲】
【請求項１】
第１始動領域と、
遊技球が通過し難い第１状態と通過し易い第２状態とに変化可能な第２始動領域と、
前記第１始動領域または前記第２始動領域への遊技球の通過を条件として、第１図柄表示手段に第１図柄を変動させてから停止させることにより、第１図柄判定の結果を報知する第１図柄制御手段と、
前記第１図柄判定の結果に応じて、遊技者にとって有利な特別遊技を行う特別遊技実行手段と、
第３始動領域への遊技球の通過を条件として、第２図柄表示手段に第２図柄を変動させてから停止させることにより、第２図柄判定の結果を報知する第２図柄制御手段と、
前記第２図柄判定の結果に応じて、前記第２始動領域を前記第２状態に変化させる可変制御手段と、
前記第１図柄の変動に応じた第１図柄演出を行う第１図柄演出制御手段と、
前記第２図柄の変動に応じて所定の演出を行う第２図柄演出制御手段とを備え、
前記第１図柄演出は、第１演出と当該第１演出の後に行われる第２演出とを含み、
前記第２図柄演出制御手段は、
前記第２演出を示唆する示唆演出、および、
前記第２図柄判定の結果を示す報知演出、
を同時に実行可能であり、
前記第２図柄演出制御手段は、前記第２演出が実行される前は前記示唆演出を行い、前記第２演出が実行された後は、前記示唆演出の全部又は一部の実行を制限する、遊技機。